(57)【特許請求の範囲】
【請求項１】
電気で駆動する車両に対して着脱可能なバッテリを管理する管理装置と、前記車両とを備えるシステムであって、
前記バッテリには、前記バッテリに関するバッテリ情報が書き込まれており、
前記管理装置は、
前記バッテリを交換するためのステーションに配され、
前記バッテリ情報に対応する充放電パターンを格納する格納部と、
前記バッテリから、前記バッテリ情報を読み出す読出部と、
前記格納部を参照することにより、前記読出部で読み出された前記バッテリ情報に対応する前記充放電パターンを判断して、前記ステーションの充放電装置に対する指示を出力する充放電指示部と
を備え、
前記バッテリ情報には、前記バッテリの現在の劣化の度合いを示す劣化度が含まれ、
前記バッテリ情報にはさらに、前記バッテリの現在の最大許容電流、前記バッテリの現在の最大許容電圧、および、前記バッテリの現在の最大許容温度の少なくとも何れか１つの情報が含まれ、
前記充放電パターンは、前記劣化度および前記少なくとも何れか１つの情報に対応し、
前記車両は走行中に前記少なくとも何れか１つの情報を計測して前記バッテリに書き込む
システム。
【請求項３】
前記充放電パターンは、前記バッテリの前記劣化度が高いほど、前記バッテリに流入する電流値および前記バッテリから放出する電流値を小さくする、
請求項１に記載のシステム。
【請求項４】
前記充放電パターンは、前記バッテリの前記劣化度が高いほど、前記バッテリの定格電圧に到達するまでの充電時間および予め定められた電圧に到達するまでの放電時間を長くする、
請求項１または３に記載のシステム。
【発明の詳細な説明】
【技術分野】
【０００１】
本発明は、管理装置に関する。
【背景技術】
【０００２】
電気自動車のコネクタと接続して電気自動車のバッテリを充電するときに、通信装置を介して電気自動車の通信部から、バッテリの電圧や種別に伴う充電特性などの充電情報を受信し、充電電圧、充電電流を特定することで、バッテリに適した充電特性で充電を行う充電電力供給部が知られている（例えば、特許文献１を参照）。
［先行技術文献］
［特許文献］
［特許文献１］  特開平０６−２４５３２５号公報
【解決しようとする課題】
【０００３】
しかしながら、上記充電電力供給部では、バッテリの充電情報を電気自動車から取得する。よって、車両から着脱可能なバッテリを交換して当該車両が充電電力供給部から離れたりしたときなど、電気自動車との間で通信ができないと充電情報を取得することができず、当該バッテリに適した充電特性で充電を行うことができなかった。
【一般的開示】
【０００４】
本発明の一態様においては、管理装置が提供される。管理装置は、電気で駆動する車両に対して着脱可能なバッテリを管理してもよい。バッテリには、バッテリに関するバッテリ情報が書き込まれてもよい。管理装置は、バッテリを交換するためのステーションに配されてもよい。管理装置は、バッテリ情報に対応する充放電パターンを格納する格納部を備えてもよい。管理装置は、バッテリから、バッテリ情報を読み出す読出部を備えてもよい。管理装置は、格納部を参照することにより、読出部で読み出されたバッテリ情報に対応する充放電パターンを判断して、ステーションの充放電装置に対する指示を出力する充放電指示部を備えてもよい。
【０００５】
バッテリ情報には、バッテリの現在の劣化の度合いを示す劣化度が含まれてもよい。充放電パターンは、バッテリの劣化度が高いほど、バッテリに流入する電流値およびバッテリから放出する電流値を小さくしてもよい。充放電パターンは、バッテリの劣化度が高いほど、バッテリの定格電圧に到達するまでの充電時間および予め定められた電圧に到達するまでの放電時間を長くしてもよい。
【０００６】
バッテリ情報は、バッテリの種別、バッテリの現在の最大許容電流、バッテリの現在の最大許容電圧、および、バッテリの現在の最大許容温度の少なくとも何れか１つの情報を含んでもよい。充放電パターンは、劣化度および少なくとも何れか１つの情報に対応してもよい。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】第１実施形態による管理システム２０の概略図である。
【図２】第１実施形態による車両１００のブロック図である。
【図３】第１実施形態によるバッテリ２００のブロック図である。
【図４】第１実施形態によるバッテリ２００に格納されるテーブルの図である。
【図５】第１実施形態によるバッテリ２００に格納されるテーブルの図である。
【図６】第１実施形態によるステーション３００のブロック図である。
【図７】第１実施形態による管理装置４００のブロック図である。
【図８】第１実施形態によるサーバ５００のブロック図である。
【図９】第１実施形態によるフロー図である。
【図１０】第１実施形態による他の動作のフロー図である。
【図１１】第１実施形態によるさらに他の動作のフロー図である。
【図１２】第２実施形態によるフロー図である。
【図１３】第３実施形態による管理装置６００のブロック図である。
【図１４】第３実施形態によるサーバ７００のブロック図である。
【図１５】第３実施形態によるフロー図である。
【図１６】第３実施形態による他の動作のフロー図である。
【図１７】第４実施形態によるバッテリ８００のブロック図である。
【図１８】第４実施形態による管理装置９００のブロック図である。
【図１９】第４実施形態によるフロー図である。
【図２０】第５実施形態による管理システム１９の概略図である。
【図２１】第５実施形態による車両１５０のブロック図である。
【図２２】第５実施形態によるバッテリ２５０のブロック図である。
【図２３】第５実施形態による管理装置４５０のブロック図である。
【図２４】第５実施形態によるフロー図である。
【図２５】第６実施形態による管理システム２１の概略図である。
【図２６】第６実施形態による車両１６０のブロック図である。
【図２７】第６実施形態による管理装置６００のブロック図である。
【図２８】第６実施形態によるフロー図である。
【図２９】第７実施形態による管理装置４７０のブロック図である。
【図３０】第７実施形態によるフロー図である。
【図３１】変形例としてのステーション１０００の模式図である。
【図３２】本発明の複数の態様が全体的又は部分的に具現化されうるコンピュータ１２００の例を示す図である。
【発明を実施するための形態】
【０００９】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１０】
図１は、第１実施形態による管理システム２０の概略図である。管理システム２０は、バッテリ２００からの電気で駆動する車両１００と、車両１００に対して着脱可能なバッテリ２００と、複数のバッテリ２００を収容して充放電するステーション３００とを備える。管理システム２０は更に、バッテリ２００を管理する管理装置４００と、通信ネットワーク４０を介して管理装置４００と通信するサーバ５００とを備える。通信ネットワーク４０は、有線、無線を問わない。
【００１１】
なお、管理システム２０は、サーバ５００を備えずに、通信ネットワーク４０を利用しないシステムであってもよい。この場合、ステーション３００および管理装置４００はスタンドアローンでバッテリ２００の貸し出しを管理してもよい。
【００１２】
図１の例では、それぞれにステーション３００および管理装置４００が少なくとも１つずつ配されるエリアＡおよびエリアＢが存在する。エリアＡおよびエリアＢは、予め定められたエリアの一例であって、例えばステーション３００を中心とする半径２ｋｍ、５ｋｍ、１０ｋｍなどの円内のエリアである。
【００１３】
ステーション３００は、車両１００で用いられるバッテリ２００を収容して充電する。さらに、ステーション３００は、バッテリ２００を車両１００のユーザ６０に貸し出す。
【００１４】
管理装置４００は例えばＰＣであって、ステーション３００に配されるかまたは遠隔で、ステーション３００を管理する。具体的には、管理装置４００は、ステーション３００に収容されたバッテリ２００の充電、貸し出しを制御する。管理装置４００は、バッテリ２００およびステーション３００を介して車両１００の情報を取得する。さらに、管理装置４００は、ステーション３００を介してバッテリ２００から取得した情報をサーバ５００に送信する。
【００１５】
本実施形態において、車両１００は自動二輪車である。これに代えてまたはこれに加えて、車両１００は自動四輪車や電動自転車などであってもよい。
【００１６】
図２は、車両１００のブロック図である。車両１００は、バッテリ２００を収容するバッテリ収容部１０１と、条件格納部１２１、ユーザ関連情報格納部１２２、車両関連情報格納部１２６および車両ＩＤ格納部１２３を含む格納部１２０とを備える。バッテリ収容部１０１は、バッテリ２００を収容するとともに電気的に接続する。
【００１７】
条件格納部１２１は、車両１００のユーザ６０の運転性向を判断するための運転性向判断条件、バッテリ２００の適正範囲内のＳＯＣ（Ｓｔａｔｅｓ  ｏｆ  Ｃｈａｒｇｅ）条件、および、バッテリ２００の適正範囲内の温度条件を格納する。適正範囲内のＳＯＣ条件とは、予め定められた適正下限ＳＯＣを下回らないことを含む。適正範囲内の温度条件とは、予め定められた適正上限温度を上回らず、且つ、予め定められた適正下限温度を下回らないことを含む。
【００１８】
車両ＩＤ格納部１２３は、車両１００の個体を識別するための車両ＩＤを格納する。車両ＩＤは、例えばＶＩＮ（Ｖｅｈｉｃｌｅ  Ｉｄｅｎｔｉｆｉｃａｔｉｏｎ  Ｎｕｍｂｅｒ）を含む。
【００１９】
ユーザ関連情報格納部１２２は、車両１００を使用するユーザ６０に関連するユーザ関連情報を格納する。車両関連情報格納部１２６は、車両１００に関連する車両関連情報を格納する。
【００２０】
車両関連情報は、車両ＩＤ、車両１００の車格を示す車格情報、車両１００が使用される本拠の位置を示す本拠位置情報、少なくとも直近の経路履歴情報などを含む。ユーザ関連情報は、ユーザＩＤ、ユーザ６０のユーザ住所を示すユーザ住所情報などを含む。
【００２１】
車両１００は更に、車両１００の各構成から入力される複数の情報を、車両ＩＤ格納部１２３に格納された車両ＩＤ、ユーザ関連情報格納部１２２に格納されたユーザ関連情報、および、車両関連情報格納部１２６に格納された車両関連情報と共にバッテリ２００に書き込む書込部１２５を備える。
【００２２】
車両１００は更に、バッテリ収容部１０１に収容されたバッテリ２００に対して、充放電量を計測して書込部１２５に出力する充放電量計測部１０３、および、ＳＯＣを算出して書込部１２５に出力するＳＯＣ算出部１０５を備える。車両１００は更に、バッテリ収容部１０１に収容されたバッテリ２００に対して、温度を計測して適正範囲内の温度であるかを判断して書込部１２５に出力するバッテリ温度計測部１０７、および、車両１００で生成された回生電力をバッテリ２００に充電する回生電力充電部１０９を備える。充放電量計測部１０３およびバッテリ温度計測部１０７は共に、計測データをＳＯＣ算出部１０５にも出力する。なお、バッテリ温度計測部１０７は、計測した温度そのものを書込部１２５に出力してもよい。
【００２３】
充放電量計測部１０３は、バッテリ２００に出入りする電流とバッテリ２００の電圧とを計測し、電流および電圧を積算して電力量を算出する。回生電力充電部１０９は、車両１００のブレーキ操作によって回生電力が生成されると、生成される電力をバッテリ２００に充電する。バッテリ温度計測部１０７は、バッテリ２００の温度を計測し、条件格納部１２１を参照することにより、バッテリ２００の温度が予め定められた適正上限温度以上となった回数、および、バッテリ２００の温度が予め定められた適正下限温度以下となった回数を算出する。
【００２４】
ＳＯＣ算出部１０５は、充放電量計測部１０３からバッテリ２００の電圧を入力され、バッテリ温度計測部１０７からバッテリ２００の温度を入力されると、バッテリ２００のＳＯＣを算出する。
【００２５】
より具体的には、ＳＯＣ算出部１０５は、予め測定されたバッテリ２００の無負荷時放電特性（ＯＣＶ［Ｏｐｅｎ  Ｃｉｒｃｕｉｔ  Ｖｏｌｔａｇｅ］）、温度特性、特定の条件下で予め測定されたバッテリ２００のＳＯＣ−ＯＣＶ曲線などの測定データがリファレンスとしてバッテリ２００に書き込まれていることを前提として、バッテリ２００に書き込まれた当該測定データを読み出す。ＳＯＣ算出部１０５は、充放電量計測部１０３およびバッテリ温度計測部１０７から入力されるバッテリ２００の電圧および温度と、バッテリ２００から読み出した測定データとを用いて、インピーダンス・トラック方式によりバッテリ２００のインピーダンスを常時補足し、バッテリ２００から読み出したＳＯＣ−ＯＣＶ曲線を更新すべくバッテリ２００に書き込む。ＳＯＣ算出部１０５は、更新したＳＯＣ−ＯＣＶ曲線と充放電量計測部１０３から入力されるバッテリ２００の現在の電圧とに基づいて、バッテリ２００の現在のＳＯＣを算出し、書込部１２５に出力する。ＳＯＣ算出部１０５はまた、条件格納部１２１を参照することにより、バッテリ２００が車両１００に取り付けられてから取り外されるまでの期間である取り付け期間におけるバッテリ２００のＳＯＣが適正範囲内であるか否かを判断し、書込部１２５に出力する。
【００２６】
車両１００は更に、現在の日時を計測して書込部１２５に出力する日時計測部１１２と、車両１００の現在の位置情報を取得して書込部１２５に出力する位置情報取得部１１１と、車両１００の加速度を計測して書込部１２５に出力する加速度計測部１１３とを備える。
【００２７】
位置情報取得部１１１は、例えばＧＰＳ（全地球測位システム）から車両１００の位置の緯度及び経度を表すＧＰＳデータを取得し、ＧＰＳデータに示される車両１００の位置が含まれる上記のエリア、例えばエリアＡやエリアＢなどを車両１００の現在の位置情報として出力する。また、位置情報取得部１１１は、取得したＧＰＳデータそのものを、車両１００の現在の位置情報として出力する。
【００２８】
日時計測部１１２は、例えば車両１００のイグニッションスイッチがＯＮになってからＯＦＦになるまでの１ドライブサイクルの時間帯および曜日を計測して出力する。
【００２９】
車両１００は更に、車両１００の１ドライブサイクル当たりの連続走行時間を計測して書込部１２５に出力する走行時間計測部１１５と、車両１００の１ドライブサイクル当たりの連続走行距離を計測して書込部１２５に出力する走行距離計測部１１７とを備える。
【００３０】
車両１００は更に、書込部１２５から入力された情報、および、条件格納部１２１に格納されている運転性向判断条件に基づき、車両１００のユーザ６０の運転性向を判断して書込部１２５に出力する運転性向判断部１１９を備える。
【００３１】
運転性向判断条件は、例えば車両１００の加速度が予め定められた閾値以上となる回数が、予め定められた回数以上である場合に加速重視型と判断し、予め定められた回数未満である場合に省エネ重視型と判断するという条件である。ここで、予め定められた回数とは、例えば、車両１００の連続走行距離の累積である累積走行距離、または、連続走行時間の累積である累積走行時間に比例する値であり、車両１００の累積走行距離または累積走行時間が増大するに連れて大きくなる。代替的に、運転性向判断条件は、車両１００の累積走行距離または累積走行時間に対する、車両１００の加速度が予め定められた閾値以上となる回数の比が、予め定められた閾値以上である場合に加速重視型と判断し、予め定められた閾値未満である場合に省エネ重視型と判断するという条件であってもよい。
【００３２】
運転性向判断条件はまた、例えば車両１００の連続走行距離または連続走行時間が予め定められた閾値以上である場合に長距離運転指向または長時間運転指向と判断し、予め定められた閾値未満である場合に短距離運転指向または短時間運転指向と判断するという条件であってもよい。
【００３３】
なお、車両１００は、通信ネットワーク４０を介して管理装置４００およびサーバ５００の何れか又は両方と通信してもよい。
【００３４】
図３は、バッテリ２００のブロック図である。バッテリ２００は車両１００から取り外された状態でユーザ６０により持ち運び可能な、いわゆるモバイルバッテリである。バッテリ２００は車両１００に装着されると車両１００に電力を供給する。
【００３５】
バッテリ２００は、例えば車両１００から入力される複数の情報を格納する格納部２１０と、バッテリ２００の現在の劣化状態を表示する劣化表示部２４０とを備える。
【００３６】
格納部２１０は、車両１００で使用されたバッテリ２００の使用履歴情報を格納する使用履歴情報格納部２１１と、バッテリ２００に関するバッテリ情報を格納するバッテリ情報格納部２１７と、車両１００で使用されたバッテリ２００の関連情報を格納する関連情報格納部２１９とを含む。
【００３７】
使用履歴情報は、バッテリ２００の取り付け期間に、車両１００においてバッテリ２００がどのように使用されたかを示す。使用履歴情報には、車両１００の運転履歴を示す運転履歴情報と、バッテリ２００の使用状況の履歴を示す使用状況履歴情報とが含まれる。
【００３８】
使用履歴情報格納部２１１は、車両１００の運転履歴情報を格納する運転履歴格納部２１３と、バッテリ２００の使用状況履歴情報を格納する使用状況履歴格納部２１５とを含む。
【００３９】
運転履歴情報は、例えば、バッテリ２００の取り付け期間に車両１００が走行した経路の履歴を示す経路履歴情報を含む。また、運転履歴情報は、例えば、バッテリ２００の取り付け期間における、車両１００の１ドライブサイクル当たりの連続走行距離、連続走行時間、急加減速回数、走行時間帯、走行曜日、走行エリアなどの履歴情報の他、バッテリ２００の取り付け期間の全ドライブサイクルの累積走行距離、累積走行時間などを含む。また、運転履歴情報は、例えば、バッテリ２００の取り付け期間における車両１００の乗り方を示す運転性向を含む。運転性向は、例えば上述した加速重視型、省エネ重視型、長距離運転指向、長時間運転指向、短距離運転指向、短時間運転指向などを含む。
【００４０】
使用状況履歴情報は、例えば、バッテリ２００の取り付け期間における、バッテリ２００のＳＯＣ、充電量および放電量、バッテリ２００の温度が予め定められた適正上限温度以上となった回数、バッテリ２００の温度が予め定められた適正下限温度以下となった回数などの履歴情報を含む。使用状況履歴情報は、バッテリ２００の取り付け期間におけるバッテリ２００のＳＯＣが適正範囲内であるか否かの情報を含んでもよく、上述の通り、当該情報は車両１００によって判断されて書き込まれる。
【００４１】
使用状況履歴情報は、バッテリ２００の取り付け期間におけるバッテリ２００の温度履歴そのものを含んでもよい。また、使用状況履歴情報は、バッテリ２００の取り付け期間における車両１００の走行時の情報だけでなく、当該期間における車両１００の走行時以外の情報、例えばバッテリ２００の自然放電や経年劣化などに起因する情報を含んでもよい。また、使用状況履歴情報は、バッテリ２００の取り付け期間の、バッテリ２００の劣化の度合いを示す劣化度（ＳＯＨ［Ｓｔａｔｅｓ  ｏｆ  Ｈｅａｌｔｈ］）、劣化度を段階的に示す劣化等級、劣化等級の変化などの情報を含んでもよく、当該情報は管理装置４００によって判断されて書き込まれる。代替的に、当該劣化度の情報は、車両１００の走行中に車両１００によって算出されてもよい。ここで、バッテリ２００の劣化度（ＳＯＨ）は、バッテリ２００が未使用の状態におけるバッテリ２００の容量に対する、バッテリ２００の現状態におけるバッテリ２００の容量の比の百分率である容量維持率で表される。劣化度（ＳＯＨ）は、バッテリ２００の公称容量に対する現在の容量の割合を百分率で示した値とも定義できる。
【００４２】
また、使用状況履歴情報は、バッテリ２００の取り付け期間におけるバッテリ２００の劣化度が適正範囲内であるか否かの情報を含んでもよく、当該情報は管理装置４００によって判断されて書き込まれる。
【００４３】
バッテリ情報格納部２１７に格納されるバッテリ情報は、バッテリ２００の個体を識別するためのバッテリＩＤを含む。また、使用状況履歴格納部２１５に格納されているバッテリ２００のＳＯＣの情報、および、バッテリ２００の現在の劣化度の情報は、バッテリ情報としても用いられる。
【００４４】
バッテリ情報は更に、予め測定されたバッテリ２００の無負荷時放電特性（ＯＣＶ）、温度特性、特定の条件下で予め測定されたバッテリ２００のＳＯＣ−ＯＣＶ曲線などの測定データを含む。バッテリ情報はまた、特定の条件下で計測されたバッテリ２００の公称容量を含んでもよい。また、バッテリ情報は更に、バッテリ２００の種別の情報や、バッテリ２００の現在の最大許容電流、最大許容電圧および最大許容温度の情報などを含んでもよい。バッテリ２００の現在の最大許容電流、最大許容電圧および最大許容温度の情報などは、車両１００の走行中に車両１００によって計測されることが好ましい。
【００４５】
関連情報格納部２１９は、バッテリ２００が装着された車両１００を使用するユーザ６０に関連するユーザ関連情報を格納するユーザ関連情報格納部２２１と、バッテリ２００が装着された車両１００に関連する車両関連情報を格納する車両関連情報格納部２２３を含む。ユーザ関連情報および車両関連情報は、車両１００によって書き込まれる。上記の経路履歴情報は、車両関連情報格納部２２３および使用履歴情報格納部２１１の両方に格納されてもよく、何れか一方に格納されてもよい。
【００４６】
劣化表示部２４０は、バッテリ２００の電力残量である現在の充電量に拘わらず、バッテリ２００の現在の劣化度または劣化等級を外部から視認可能に表示する。劣化表示部２４０は、例えば１つ又は複数のＬＥＤを有し、ＬＥＤの表示色や点灯数などを変えることによって、バッテリ２００の現在の劣化度または劣化等級を表示してもよい。また、劣化表示部２４０は、例えば劣化度または劣化等級に応じて色の異なるラベルを貼り付けられることによって、バッテリ２００の現在の劣化度または劣化等級を表示してもよい。
【００４７】
劣化表示部２４０は、電力残量にかかわらず劣化度等を外部から視認可能に表示するので、満充電でない状態でも劣化の程度を容易に判断することができる。
【００４８】
なお、バッテリ２００は、通信ネットワーク４０を介して管理装置４００およびサーバ５００の何れか又は両方と通信してもよい。
【００４９】
図４は、運転履歴格納部２１３に格納される運転情報履歴情報のテーブルの一例である。当該テーブルにおいて、「参照番号」、「連続走行距離［ｋｍ］」、「連続走行時間［ｈ］」、「急加減速回数［回］」、「累積走行距離［ｋｍ］」、「累積走行時間［ｈ］」、「時間帯［時］」、「曜日」および「走行エリア」が対応付けて記録される。当該テーブルはユーザＩＤごと（または車両ＩＤごと）に記録されており、テーブルごとに「運転性向」が記録されている。
【００５０】
例えば、参照番号１の行には、連続走行距離が３ｋｍ、連続走行時間が０．４ｈ、急加減速回数が２回、累積走行距離が３ｋｍ、累積走行時間が０．４ｈ、時間帯が８〜９時、曜日が金曜、および、走行エリアがＡと記録されている。さらに、参照番号１から３までの３ドライブサイクル分の運転履歴データに基づき、当該バッテリ２００を借りて車両１００で使用しているユーザ６０の運転性向は短距離運転指向で加速重視型と判断された結果が記憶されている。
【００５１】
図５は、使用状況履歴格納部２１５に格納される使用状況履歴情報のテーブルの一例を示す。当該テーブルにおいて、「参照番号」、「ＳＯＣ」、「充電量［ｋＷｈ］」、「放電量［ｋＷｈ］」、「バッテリ温度≧適正上限温度［回］」および「バッテリ温度≦適正下限温度［回］」が対応付けて記録される。
【００５２】
例えば、参照番号１の行には、ＳＯＣが９８、充電量が０．０３ｋＷｈ、放電量が０．３ｋＷｈ、バッテリ温度≧適正上限温度となった回数が１回、および、バッテリ温度≦適正下限温度となった回数が０回と記録されている。なお、図４および図５の各テーブルの左端に記載された参照番号は相互に対応している。すなわち、同じ参照番号に示されているデータは、同じ１ドライブサイクルにおけるデータである。
【００５３】
図６は、ステーション３００のブロック図である。ステーション３００は、複数のバッテリ２００を収容するバッテリ収容部３０１と、バッテリ収容部３０１に収容された複数のバッテリ２００に対して、読み出しおよび書き込みを行う読み書き部３０３、および、管理装置４００からの指示に従い充放電を制御する充放電部３０５とを備える。
【００５４】
バッテリ収容部３０１は、バッテリ２００を収容すると、バッテリ２００と電気的に接続した状態でバッテリ２００を保持する。例示的に図１に示される通り、ステーション３００のバッテリ収容部３０１は、４行×４列でマトリックス状に配された複数の蓋付の返却スロットであってもよい。この場合、各返却スロットは、１つのバッテリを収容し、蓋を閉じてロックをかけることによって、収容したバッテリ２００を外部から取出し不能にしてもよい。なお、以降では、バッテリ収容部３０１の返却スロットを収容場所と言う場合がある。
【００５５】
バッテリ収容部３０１は、バッテリ２００の劣化等級に応じて、バッテリ２００の収容場所が異なっている。バッテリ収容部３０１は、バッテリ２００の劣化度、型番、種類、性能などに応じて、バッテリ２００の収容場所が異なっていてもよい。ここで言うバッテリ２００の型番は、例えばバッテリ２００の製造会社名や、自動二輪車用、自動四輪車用などの種別を含む。また、バッテリ２００の種類は、例えば全固体電池、リチウムイオン電池などを含む。また、バッテリ２００の性能は、例えば高出力短寿命型、低出力長寿命型などを含む。
【００５６】
図１のステーション３００において、バッテリ収容部３０１は、劣化等級に応じてバッテリ２００の収容場所の行が異なり、具体的には例えば、紙面に向かって上から１行目が劣化等級１または２のバッテリ２００専用、２行目が劣化等級３のバッテリ２００専用、３行目が劣化等級４のバッテリ２００専用、４行目が劣化等級５のバッテリ２００専用である。
【００５７】
バッテリ収容部３０１は、管理装置４００からの指示に基づいて、収容している特定のバッテリ２００を貸し出すべく、外部から取り出し可能にする。バッテリ収容部３０１は、バッテリ２００を外部から取り出し可能にすることに加えて、当該バッテリ２００の収容場所が外部から容易に識別できるよう、例えば当該収容場所に設けられているＬＥＤを点滅表示させたりしてもよい。
【００５８】
バッテリ収容部３０１は、特定の収容場所にバッテリ２００が返却されたことを検知すると、当該特定の収容場所の情報を管理装置４００に出力する。
【００５９】
読み書き部３０３は、バッテリ収容部３０１にバッテリ２００が収容されたことを検出すると、バッテリ２００の情報を読み出して管理装置４００に出力する。また、読み書き部３０３は、管理装置４００からの指示に基づいて、管理装置４００から入力される情報をバッテリ２００に書き込む。
【００６０】
ステーション３００は更に、管理装置４００から入力される情報を表示する表示部３０７と、ユーザ６０による入力を受け付ける入力部３０９とを備える。表示部３０７および入力部３０９は、一体的なタッチパネルであってもよい。また、入力部３０９は、表示部３０７から独立して配されている押しボタンであってもよい。
【００６１】
表示部３０７は、管理装置４００から入力される報奨情報を表示する。表示部３０７は、例えばバーコードを表示してユーザ６０の通信端末に読み取らせることによって通信端末に報奨情報を表示させてもよい。表示部３０７に代えて又は追加して、ステーション３００は、管理装置４００からの指示に基づいて報奨情報を記載した紙面を印刷して排出する印刷部を備えてもよい。
【００６２】
表示部３０７は、バッテリ２００を返却したユーザ６０に対して、例えば複数のバッテリ２００の劣化等級および価格の一覧を表示してもよい。表示部３０７は、例えばバッテリ収容部３０１の画像を表示して当該画像内の特定の収容場所を点滅させることによって、管理装置４００がリコメンドする又は選択したバッテリ２００の収容場所をユーザ６０に視覚的に知らせてもよい。
【００６３】
入力部３０９は、バッテリ２００を返却したユーザ６０から入力される情報を管理装置４００に出力する。入力部３０９は、バッテリ２００を返却したユーザ６０からの入力に基づき、バッテリ収容部３０１に収容している特定のバッテリ２００を貸し出し可能な状態にしてもよい。
【００６４】
図７は、管理装置４００のブロック図である。管理装置４００は、ステーション３００にストックされているバッテリ２００から、バッテリ２００の情報を読み出す読出部４０１と、複数の情報を格納する格納部４２０とを備える。読出部４０１は、ステーション３００に対して、ユーザ６０から返却されたバッテリ２００の情報を読み出す指示を出力する。
【００６５】
格納部４２０は、ステーション３００にストックされているバッテリ２００を特定するための特定情報を格納する特定情報格納部４２１と、バッテリ情報に対応する充放電パターンを格納する充放電パターン格納部４２３と、複数の判断条件を格納する条件格納部４２５とを含む。
【００６６】
特定情報格納部４２１は、上述した特定情報に、車両関連情報、使用履歴情報などの、車両１００やバッテリ２００に固有の情報である固有情報を対応付けて格納する。特定情報は、バッテリ２００のグループを識別するグループＩＤ、バッテリ２００の個体を識別するバッテリＩＤなどを含む。バッテリ２００のグループは、バッテリ２００の劣化度、劣化等級、型番、種類、および、性能の少なくとも何れかに基づいてグループ分けされる。グループＩＤは、劣化度などの情報そのものであってもよく、他の記号や文字であってもよい。特定情報格納部４２１がバッテリＩＤに代えてグループＩＤを格納する場合、格納する情報量が低減される。
【００６７】
特定情報格納部４２１に格納される固有情報は、（Ａ）車両の個体を識別するための車両ＩＤ、（Ｂ）車両に装着されている間における１ドライブサイクルの連続走行距離および連続走行時間の何れか、（Ｃ）連続走行距離が予め定められた距離よりも長いかどうかを示す距離情報、（Ｄ）車両に装着されている間における総走行距離および総走行時間の何れかと、（Ｅ）車両で使用されたバッテリの、車両に装着されている間における、（ａ）劣化の度合いを示す劣化度、（ｂ）劣化度を段階的に示す劣化等級の変化、（ｃ）電気使用量、（ｄ）電気使用量が予め定められた許容範囲内であるかどうかを示す許容情報、（ｅ）温度履歴などを含む。
【００６８】
充放電パターン格納部４２３に格納される充放電パターンは、例えば、バッテリ２００の劣化度が高いほど、バッテリ２００に流入する電流値およびバッテリ２００から放出する電流値を小さくする。また、充放電パターンは、例えば、バッテリ２００の劣化度が高いほど、バッテリ２００の定格電圧に到達するまでの充電時間および予め定められた電圧に到達するまでの放電時間を長くする。バッテリ２００を充放電するときの電流値は、バッテリ２００の劣化度に拘わらず、例えばＣＣＣＶ（Ｃｏｎｓｔａｎｔ  Ｃｕｒｒｅｎｔ  Ｃｏｎｓｔａｎｔ  Ｖｏｌｔａｇｅ）充電のように、一定であることが好ましい。
【００６９】
なお、バッテリ情報に、バッテリ２００の種別の情報や、バッテリ２００の現在の最大許容電流、最大許容電圧および最大許容温度の情報などが含まれる場合、充放電パターンは、バッテリ２００の劣化度、および、これらの情報の両方に対応し、更に細分化されてもよい。
【００７０】
条件格納部４２５は、バッテリ２００の劣化度から、バッテリ２００の劣化度を段階的に示す劣化等級を判断するための劣化等級条件を格納する。また、条件格納部４２５は、バッテリ２００の劣化等級から、バッテリ２００の価格を判断するための価格条件を格納する。また、条件格納部４２５は、バッテリ２００の劣化等級から、バッテリ２００の劣化等級を外部から視認可能にバッテリ２００に表示させる表示態様を判断するための表示態様条件を格納する。また、条件格納部４２５は、バッテリ２００の劣化等級から、バッテリ２００の劣化等級毎にバッテリ２００を収容すべき収容場所を判断するための収容場所条件を格納する。また、条件格納部４２５は、バッテリ２００の劣化度に対する優良使用条件を格納する。条件格納部４２５はさらに、バッテリ２００の適正範囲内の劣化度条件を格納する。適正範囲内の劣化度条件とは、予め定められた適正下限劣化度を下回らないことを含む。
【００７１】
劣化等級条件は、劣化度の数値が大きいほど劣化等級の数値が小さいという条件である。例えば、劣化度（ＳＯＨ）と劣化等級との関係が、ＳＯＨ＝９１〜１００のときに劣化等級１、ＳＯＨ＝８１〜９０のときに劣化等級２、ＳＯＨ＝７１〜８０のときに劣化等級３、ＳＯＨ＝６１〜７０のときに劣化等級４、ＳＯＨ＝５１〜６０のときに劣化等級５、ＳＯＨ≦５０のときに使用不可能に設定される。なお、管理装置４００は、使用不可能なバッテリ２００を回収対象と判断してもよい。
【００７２】
価格条件は、バッテリ２００を満充電で貸し出すことを前提として、例えば劣化等級が高いバッテリ２００ほど貸出料金を安くするという条件を含む。例えば、劣化等級１のときに５０００円、劣化等級２のときに４５００円、劣化等級３のときに４０００円、劣化等級４のときに３５００円、劣化等級５のときに３０００円のように、設定される。
【００７３】
表示態様条件は、例えば、劣化等級と表示態様との関係が、劣化等級１〜３のときにバッテリ２００の劣化表示部２４０に青色のラベルを貼り付け、劣化等級４〜５のときにバッテリ２００の劣化表示部２４０に赤色のラベルを貼り付けるという条件を含む。
【００７４】
収容場所条件は、劣化等級と、バッテリ２００を収容すべき収容場所との関係を含む。例えば、収容場所は、図１の４行×４列のバッテリ収容部３０１を有するステーション３００の場合には、紙面に向かって上から１行目が劣化等級１または２のバッテリ２００専用、２行目が劣化等級３のバッテリ２００専用、３行目が劣化等級４のバッテリ２００専用、４行目が劣化等級５のバッテリ２００専用である。
【００７５】
優良使用条件は、例えば、劣化度と適正範囲との関係がＳＯＨ≧６１の場合に使用態様が優良と判断し、ＳＯＨ＜６１の場合に優良ではないと判断するという条件である。これに代えてまたはこれに加えて、優良使用条件は、例えば、バッテリ２００の取り付け期間中における劣化度の変化量（ＳＯＨ変化量）と適正範囲との関係がＳＯＨ変化量＜１０の場合に使用態様が優良と判断し、ＳＯＨ変化量≧１０の場合に優良ではないと判断するという条件である。
【００７６】
格納部４２０は更に、ステーション３００に返却されたバッテリ２００から読出部４０１が読み出した使用履歴情報を累積した情報である累積使用履歴情報を、当該バッテリ２００のバッテリＩＤに対応付けて格納する履歴格納部４２７を含む。履歴格納部４２７は、バッテリ２００が装着された車両１００の車両ＩＤと、当該車両１００で使用されていた期間における使用履歴情報とを、バッテリＩＤに対応付けて格納してもよい。なお、ここで言う累積使用履歴情報は、バッテリ２００が新品の状態から使用され始めて現在に至るまでの期間における全ドライブサイクルの使用履歴情報であることが好ましいが、当該期間における一部のドライブサイクルの使用履歴情報が不足していてもよい。
【００７７】
格納部４２０は更に、複数のＩＤのリストを格納するＩＤリスト格納部４２９と、ステーション３００にストックされているバッテリ２００を貸し出してよい車両１００およびユーザ６０の関連情報を格納する関連情報格納部４３１とを含む。
【００７８】
ＩＤリスト格納部４２９は、ストックされているバッテリ２００を貸し出してよい、車両ＩＤの車両ＩＤリストおよびユーザＩＤのユーザＩＤリストを格納する。ＩＤリスト格納部４２９は更に、ストックされているバッテリ２００を貸し出してよいバッテリＩＤのバッテリＩＤリストを格納してもよい。
【００７９】
ＩＤリスト格納部４２９に格納されている車両ＩＤリストには、使用される本拠の位置が予め定められた地域内に含まれる車両１００の車両ＩＤがリストされており、使用される本拠の位置が予め定められた地域の外である車両１００の車両ＩＤはリストされていない。
【００８０】
また、ＩＤリスト格納部４２９に格納されているユーザＩＤリストには、ユーザ住所が予め定められた地域内に含まれるユーザ６０のユーザＩＤがリストされており、ユーザ住所が予め定められた地域の外であるユーザ６０のユーザＩＤはリストされていない。ここで言う予め定められた地域は、例えば新宿区や渋谷区などの行政区を含んでもよく、図１に示されるエリアＡやエリアＢを含んでもよい。
【００８１】
関連情報格納部４３１に格納されている関連情報は、例えば、サーバ５００に格納されている複数の関連情報のうち、ステーション３００に関連付けられた関連情報を含む。
【００８２】
ステーション３００に関連付けられた関連情報は、例えば、ステーション３００の住所とユーザ６０の住所とが予め定めた判断基準において近いと判断されたユーザ６０の関連情報を含む。
【００８３】
また、ステーション３００に関連付けられた関連情報は、例えば、ステーション３００の住所と車両１００が使用される本拠の位置とが予め定めた判断基準において近いと判断された車両１００の関連情報を含む。
【００８４】
格納部４２０は更に、予め定められた住所および距離を格納する住所距離格納部４３３と、予め定められたエリアを示すエリア情報を格納するエリア情報格納部４３５と、ユーザ６０に対して報奨を与えるための報奨情報を格納する報奨情報格納部４３７とを含む。
【００８５】
住所距離格納部４３３に格納されている予め定められた住所は、例えばステーション３００の所在地を含み、予め定められた距離は、例えば２ｋｍ、５ｋｍ、１０ｋｍなどである。エリア情報格納部４３５に格納されている予め定められたエリアは、例えばステーション３００を中心とする半径２ｋｍ、５ｋｍ、１０ｋｍなどの円内のエリアである。
【００８６】
報奨情報格納部４３７に格納される報奨情報は、ユーザ６０がバッテリ２００をステーション３００に返却し、管理装置４００が、ユーザ６０によるバッテリ２００の使用方法が優良であると判断したときに、または、ユーザ６０によってステーション３００に返却されたバッテリ２００が収容された場所が適切であると判断したときに、ステーション３００に出力される。なお、報奨情報に示される報奨内容は、例えばバッテリ貸出料金の割引、バッテリ貸出料金の支払いに利用できるポイントの付与、提携店舗で商品引換券の付与など、任意のコンテンツであってもよい。なお、報奨情報は、優良返却報奨情報および優良使用報奨情報の一例である。
【００８７】
管理装置４００は更に、サーバ５００と通信する通信部４０３と、ステーション３００にストックされているバッテリ２００を貸し出してよい車両１００およびユーザ６０の関連情報を、サーバ５００との通信時にサーバ５００から受信して管理する管理部４１９とを備える。管理装置４００は更に、ステーション３００にストックされている特定のバッテリ２００に対して、充放電を行うようステーション３００に指示する充放電指示部４０９、および、管理装置４００の各構成から入力される情報を書き込むようステーション３００に指示する書込部４１７を備える。
【００８８】
通信部４０３は、ステーション３００にストックされているバッテリ２００を貸し出してよい車両１００およびユーザ６０の関連情報をサーバ５００から受信すると、管理部４１９に出力する。
【００８９】
管理部４１９は、上記の関連情報を通信部４０３から入力されると、関連情報格納部２１９に格納して管理する。管理部４１９は、予め定められたタイミングで、例えば毎日の特定の時間に、通信部４０３を介してサーバ５００に関連情報の送信を要求する。管理部４１９はまた、サーバ５００との通信が遮断してから回復した場合に、通信部４０３を介してサーバ５００に関連情報の送信を要求する。
【００９０】
充放電指示部４０９は、ユーザ６０によってステーション３００に返却されたバッテリ２００から読出部４０１が読み出したバッテリ情報を読出部４０１から入力されると、充放電パターン格納部４２３を参照し、当該バッテリ情報に対応する充放電パターンを判断して、ステーション３００の充放電部３０５に対する指示を出力する。充放電指示部４０９は、例えば、ステーション３００にストックされている充電済のバッテリ２００が余剰状態で、外部の電力会社へ電力融通する余裕がある場合にバッテリ２００の放電処理を指示してもよい。
【００９１】
書込部４１７は、ユーザ６０によってステーション３００に返却されたバッテリ２００から読出部４０１が読み出した車両関連情報およびユーザ関連情報を含む関連情報を、ステーション３００にストックされているバッテリ２００のうちユーザ６０に貸し出すバッテリ２００に書き込む指示を出力する。
【００９２】
また、書込部４１７は、ユーザ６０によってステーション３００に返却されたバッテリ２００から読出部４０１が読み出して履歴格納部４２７に格納されている使用履歴情報を、ユーザ６０に貸し出すバッテリ２００に書き込む指示を出力してもよい。この場合、書込部４１７は、履歴格納部４２７に格納されている累積使用履歴情報も、ユーザ６０に貸し出すバッテリ２００に書き込む指示を出力してもよい。
【００９３】
管理装置４００は更に、ステーション３００にストックされている特定のバッテリ２００をユーザ６０に提示するための指示をステーション３００に出力する提示部４０５を備える。提示部４０５は、読出部４０１で読み出された、車両１００で使用されたバッテリ２００の固有情報に基づいて、ステーション３００にストックされているバッテリ２００を特定する特定情報を特定情報格納部４２１から抽出し、提示する。なお、読出部４０１で読み出される固有情報は、必ずしも車両１００やバッテリ２００における直近の情報を含んでいなくてもよい。なお、提示部４０５は、例えば人工知能（ＡＩ）を有し、固有情報と特定情報との関連性を学習した結果に基づいて、新たに読出部４０１で読み出された固有情報から特定情報を抽出してもよい。
【００９４】
上述した、特定情報を抽出して提示することは、抽出した特定情報に基づいて、ステーション３００にストックされているバッテリ２００を一個又は複数個レコメンドすることを含む。換言すると、ステーション３００にストックされているバッテリ２００を一個又は複数個特定し、車両１００で使用されたバッテリ２００との交換候補としてレコメンドすることを含む。提示部４０５は、例えば、レコメンドする一個又は複数個のバッテリ２００の情報を表示する指示をステーション３００の表示部３０７に出力してもよい。
【００９５】
なお、提示部４０５がレコメンドするバッテリ２００には、充電済のバッテリ２００、および、充電が不十分または全く充電されていないバッテリ２００が含まれてもよい。充電が不十分または全く充電されていないバッテリ２００をレコメンドする場合とは、例えば、ユーザ６０が、ステーション３００から外部の電力会社への電力融通に協力するために、十分に充電されたバッテリ２００をステーション３００に返却し、充電が不十分または全く充電されていないバッテリ２００を借りていく場合を含む。この場合、当該ユーザ６０は、例えば、車両１００の電力源として別のバッテリ２００を車両１００に装着しており、充電が不十分または全く充電されていないバッテリ２００を帰宅後に車両１００に装着し、自家発電のストレージ用のバッテリ２００として利用してもよい。
【００９６】
管理装置４００は更に、ステーション３００に返却されたバッテリ２００の劣化度を算出する劣化度算出部４１１と、劣化度算出部４１１から入力される劣化等級に基づいて、バッテリ２００における劣化等級の表示態様を判断する表示判断部４１３、および、バッテリ２００の価格を判断する価格判断部４１５とを備える。
【００９７】
劣化度算出部４１１は、読出部４０１で読み出されたバッテリＩＤを入力されると、当該バッテリＩＤにより履歴格納部４２７に格納された累積使用履歴情報を抽出し、抽出した累積使用履歴情報に基づいてバッテリ２００の劣化の度合いを示す劣化度を算出し、出力する。なお、累積使用履歴情報に基づいてバッテリ２００の劣化度を算出することには、累積した運転履歴情報に基づいて劣化度を算出することも、バッテリ２００の累積した使用状況履歴情報に基づいて劣化度を算出することも含まれる。
【００９８】
劣化度算出部４１１は、条件格納部４２５に格納された劣化等級条件を参照することにより、算出したバッテリ２００の劣化度からバッテリ２００の劣化等級を判断し、表示判断部４１３、価格判断部４１５および書込部４１７に出力する。劣化度算出部４１１はさらに、バッテリ２００の劣化等級の変化を判断し、書込部４１７に出力する。劣化度算出部４１１はさらに、条件格納部４２５を参照することにより、バッテリ２００の取り付け期間におけるバッテリ２００の劣化度が適正範囲内であるか否かを判断し、書込部４１７に出力する。
【００９９】
表示判断部４１３は、劣化度算出部４１１からバッテリ２００の劣化等級を入力されると、条件格納部４２５に格納された表示態様条件を参照することにより、当該劣化等級に基づいてバッテリ２００の表示態様を判断し、書込部４１７に出力する。
【０１００】
価格判断部４１５は、劣化度算出部４１１からバッテリ２００の劣化等級を入力されると、条件格納部４２５に格納された価格条件を参照することにより、当該劣化等級に基づいてバッテリ２００の価格を判断し、書込部４１７に出力する。
【０１０１】
管理装置４００は更に、劣化度算出部４１１から入力される劣化等級に基づいて、バッテリ２００の適切な返却場所を判断し、当該適切な返却場所を示す収容場所情報を出力する場所出力部４１２を備える。ここで言う適切な返却場所とは、ステーション３００のバッテリ収容部３０１における複数の収容場所のうち、ステーション３００に返却されるバッテリ２００が収容されるべき収容場所を意味する。管理装置４００は更に、場所出力部４１２から入力される収容場所情報と、ステーション３００に返却されたバッテリ２００が収容された場所の情報とに基づいて、バッテリ２００が適切な返却場所に返却されたかどうかを判断する優良返却報奨部４１４と、劣化度算出部４１１から入力される劣化度が優良使用条件を満たすかどうかを判断する優良使用報奨部４１６とを備える。
【０１０２】
場所出力部４１２は、劣化度算出部４１１からバッテリ２００の劣化等級を入力されると、条件格納部４２５に格納された収容場所条件を参照することにより、当該劣化等級に基づいてバッテリ２００の収容場所を判断し、優良返却報奨部４１４に出力する。
【０１０３】
優良返却報奨部４１４は、場所出力部４１２から収容場所情報を入力され、ステーション３００から、返却されたバッテリ２００が収容された場所の情報を入力されると、バッテリ２００が収容された場所が、収容場所情報に示される適切な返却場所であるかどうかを判断する。優良返却報奨部４１４は、バッテリ２００が適切な返却場所に返却されたと判断した場合には、報奨情報格納部４３７を参照し、報奨情報をステーション３００に出力する。適切な返却場所に返却されていないと判断した場合には、報奨情報を出力しない。
【０１０４】
優良使用報奨部４１６は、劣化度算出部４１１から劣化度を入力されると、条件格納部４２５に格納された優良使用条件を参照することにより、当該劣化度が優良使用条件を満たすかどうかを判断する。優良使用報奨部４１６は、当該劣化度が優良使用条件を満たすと判断した場合には、報奨情報格納部４３７を参照し、報奨情報をステーション３００に出力する。優良使用条件を満たさないと判断した場合には、報奨情報を出力しない。
【０１０５】
管理装置４００は更に、ステーション３００にストックされている特定のバッテリ２００に対して貸出処理を行う貸出処理部４０７を備える。貸出処理部４０７は、管理部４１９で管理されており、関連情報格納部２１９に格納されている関連情報と、読出部４０１で読み出された、車両１００で使用されたバッテリ２００の関連情報とに基づいて、ステーション３００にストックされているバッテリ２００を貸し出してよいか否かを判断する。貸出処理部４０７は、バッテリ２００を貸し出してよいと判断した場合に、当該バッテリ２００を貸し出す指示をステーション３００に出力する。
【０１０６】
なお、貸出処理部４０７は、ステーション３００にストックされているバッテリ２００を貸し出してよいと判断した場合に、その旨を書込部４１７に出力し、書込部４１７が貸出処理部４０７に代わって、当該バッテリ２００を貸し出す指示をステーション３００に出力してもよい。なお、管理装置４００がサーバ５００と通信せず、通信部４０３および管理部４１９を備えない場合、貸出処理部４０７は、読出部４０１で読み出された、車両１００で使用されたバッテリ２００の関連情報に基づいて、ステーション３００にストックされているバッテリ２００を貸し出してよいか否かを判断してもよい。この場合、貸出処理部４０７は、格納部４２０に格納されている各情報にも基づいて、バッテリ２００の貸し出し可否を判断してもよい。
【０１０７】
貸出処理部４０７は、読出部４０１で読み出された車両ＩＤが、ＩＤリスト格納部４２９に格納されている車両ＩＤリストに含まれる車両ＩＤと一致した場合に、ステーション３００にストックされているバッテリ２００を貸し出してよいと判断してもよい。同様に、貸出処理部４０７は、読出部４０１で読み出されたユーザＩＤが、ＩＤリスト格納部４２９に格納されているユーザＩＤリストに含まれるユーザＩＤと一致した場合に、バッテリ２００を貸し出してよいと判断してもよい。同様に、貸出処理部４０７は、読出部４０１で読み出されたバッテリＩＤが、ＩＤリスト格納部４２９に格納されているバッテリＩＤリストに含まれるバッテリＩＤと一致した場合に、バッテリ２００を貸し出してよいと判断してもよい。
【０１０８】
また、貸出処理部４０７は、読出部４０１で読み出された本拠位置情報に示される本拠の位置から、住所距離格納部４３３に格納されている予め定められた住所までの距離が、住所距離格納部４３３に格納されている予め定められた距離内である場合に、ストックされているバッテリ２００を貸し出してよいと判断してもよい。
【０１０９】
また、貸出処理部４０７は、読出部４０１で読み出されたユーザ住所情報に示されるユーザ住所から、住所距離格納部４３３に格納されている予め定められた住所までの距離が、住所距離格納部４３３に格納されている予め定められた距離内である場合に、ストックされているバッテリ２００を貸し出してよいと判断してもよい。
【０１１０】
また、貸出処理部４０７は、読出部４０１で読み出された本拠位置情報および経路履歴情報の何れかに示される本拠の位置および経路の履歴の何れかが、エリア情報格納部４３５に格納されている予め定められたエリア内である場合に、ストックされているバッテリ２００を貸し出してよいと判断してもよい。
【０１１１】
また、貸出処理部４０７は、読出部４０１で読み出されたユーザ住所情報に示されるユーザ住所が、エリア情報格納部４３５に格納されている予め定められたエリア内である場合に、ストックされているバッテリ２００を貸し出してよいと判断してもよい。
【０１１２】
なお、上述の提示部４０５による、特定情報を抽出して提示することは、抽出した特定情報に基づき、ステーション３００にストックされているバッテリ２００をユーザ６０に提供可能な状態にするための指示をステーション３００に出力することを含んでもよい。換言すると、外部から取出し不能な状態でステーション３００のバッテリ収容部３０１に収容している複数のバッテリ２００のうち、抽出した特定情報に基づいて特定した１個又は複数個のバッテリ２００を外部から取り出し可能な状態にする指示を、バッテリ収容部３０１に出力することを含んでもよい。この場合には、提示部４０５と貸出処理部４０７とは、全体として１つの構成であってもよい。
【０１１３】
図８は、サーバ５００のブロック図である。サーバ５００は、通信ネットワーク４０を介して、管理装置４００と通信する通信部５０１と、関連情報を格納する関連情報格納部５１７を含む格納部５１０と、バッテリ２００を貸し出してよい車両１００およびユーザ６０の関連情報を管理する管理部５０９とを備える。
【０１１４】
管理部５０９は、バッテリ２００を貸し出してよい車両１００およびユーザ６０の関連情報を、管理装置４００との通信時に管理装置４００に送信する。より具体的には、管理部５０９は、複数の管理装置４００から収集した関連情報を一元管理し、各管理装置４００からの要求に応じて、一元管理している関連情報の一部または全てを各管理装置４００に提供する。更に具体的には、管理部５０９は、新たに関連情報を通信部５０１から入力されると、関連情報格納部５１７に格納して管理しておき、通信部５０１を介して管理装置４００から関連情報を送信するよう要求されたことに応答して、関連情報格納部５１７を参照し、関連情報を当該管理装置４００に送信する。なお、管理部５０９は、管理装置４００からの要求に依らず、管理装置４００との通信時に、定期的に又は不定期的に、関連情報を管理装置４００に送信してもよい。
【０１１５】
図９は第１実施形態の動作のフロー図である。図９の動作では、管理装置４００がバッテリ２００の劣化度を算出する。
【０１１６】
ユーザ６０の車両１００にバッテリ２００が装着されている間に、車両１００からバッテリ２００へ使用履歴情報を書き込む（Ｓ１０１）。バッテリ２００がステーション３００に返却されると、管理装置４００は、ステーション３００を介して、バッテリ２００に書き込まれている使用履歴情報およびバッテリＩＤを読み出し、ステーション３００から、バッテリ２００が収容された場所の情報を取得する（Ｓ１０３）。
【０１１７】
管理装置４００は、読み出した使用履歴情報およびバッテリＩＤを格納する（ステップＳ１０５）。管理装置４００は、読み出したバッテリＩＤに対応付けられている累積使用履歴情報を抽出し、抽出した累積使用履歴情報に基づいてバッテリ２００の劣化度を算出し、劣化等級を決定する（Ｓ１０７）。
【０１１８】
管理装置４００は、算出した劣化度が優良使用条件を満たすかどうかを判断する（Ｓ１０９）。条件を満たす場合には（Ｓ１０９：ＹＥＳ）、報奨情報をステーション３００に出力し（Ｓ１１１）、ステーション３００は報奨情報を表示する（Ｓ１１３）。算出した劣化度が優良使用条件を満たさない場合には（Ｓ１０９：ＮＯ）、管理装置４００は、報奨情報をステーション３００に出力しない。
【０１１９】
管理装置４００は、決定した劣化等級に基づいて、バッテリ２００の適切な収容場所、劣化等級の表示態様およびバッテリ価格を決定する（Ｓ１１５）。管理装置４００は、返却されたバッテリ２００の実際の収容場所が、劣化等級から決定したバッテリ２００の適切な収容場所であるかどうかを判断する（Ｓ１１７）。バッテリ２００が適切な収容場所に返却されている場合には（Ｓ１１７：ＹＥＳ）、報奨情報をステーション３００に出力し（Ｓ１１９）、ステーション３００は報奨情報を表示する（Ｓ１２１）。算出した劣化度が優良使用条件を満たさない場合には（Ｓ１１７：ＮＯ）、管理装置４００は、報奨情報をステーション３００に出力しない。
【０１２０】
管理装置４００は、劣化等級から決定した、バッテリ２００における劣化等級の表示態様とバッテリ価格とを示す情報をバッテリＩＤと共にステーション３００に出力して当該情報をバッテリ２００に書き込ませ（Ｓ１２３）、当該フローは終了する。なお、ステーション３００は、管理装置４００からの指示に従って、当該情報に示されるバッテリ価格を表示してもよい。
【０１２１】
上記動作によれば、管理装置４００が使用履歴情報を累積して格納するので、バッテリ２００が使用中であってもバッテリ２００のそれまでの使用履歴情報を活用することができる。例えば、バッテリ２００の過不足を予測したり、新しいバッテリ２００の投入や古いバッテリ２００の回収などの計画に情報を利用することができる。また、管理装置４００が当該使用履歴情報をユーザＩＤにも対応付けて累積させておけば、複数のバッテリ２００を使用したユーザ６０に対してもユーザ単位で使用履歴情報を累積することができる。
【０１２２】
さらに、返却されたバッテリ２００の劣化度が優良使用条件を満たした場合にはユーザ６０に報奨が与えられるので、ユーザ６０にバッテリ２００の優良な使用を促すことができる。さらに、ステーション３００で指定の返却場所にバッテリ２００が返却された場合にもユーザ６０に報奨が与えられるので、ユーザ６０に指定の返却場所への返却を促すことができ、バッテリ２００を良好に管理することができる。
【０１２３】
図１０は第１実施形態の他の動作のフロー図である。図１０の動作では、管理装置４００がバッテリ２００の貸し出し処理および情報引継ぎ処理を行う。
【０１２４】
管理装置４００は、サーバ５００と通信が可能な状態において定期的にサーバ５００が管理している関連情報を取得し、管理装置４００で管理している関連情報を更新する（Ｓ２００）。一方、車両１００は、ユーザ６０の車両１００に装着されている間に、バッテリ２００に関連情報を書き込む（Ｓ２０１）。バッテリ２００がステーション３００に返却されると、管理装置４００は、ステーション３００を介して、バッテリ２００に書き込まれている関連情報を読み出す（Ｓ２０３）。
【０１２５】
管理装置４００は、読み出した関連情報に基づき、ステーション３００にストックされているバッテリ２００を貸し出して良いかどうかを判断し（Ｓ２０５）、貸し出して良い場合には（Ｓ２０５：ＹＥＳ）、関連情報を貸出指示と共にステーション３００に出力する（Ｓ２０７）。
【０１２６】
ステーション３００は、ストックしているバッテリ２００に関連情報を書き込み（Ｓ２０９）、当該バッテリ２００を貸出処理して（Ｓ２１１）、当該フローは終了する。
【０１２７】
一方で、管理装置４００が読み出した関連情報によると、ステーション３００にバッテリ２００を返却してきたユーザ６０または当該ユーザ６０の車両１００が、バッテリ２００を貸し出して良い対象ではなかった場合には（Ｓ２０５：ＮＯ）、管理装置４００は、ステーション３００にストックされているバッテリ２００を貸し出すことが不可能である旨を表示する指示をステーション３００に出力する（Ｓ２１３）。
【０１２８】
ステーション３００は、管理装置４００からの当該指示に従って、ストックしているバッテリ２００は貸出不可能である旨を表示部３０７に表示し、当該フローは終了する。
【０１２９】
上記動作によれば、管理装置４００がバッテリ２００から読み出した関連情報に基づいて、次のバッテリ２００を貸し出してよいかどうかを判断するので、会員カードの提示等の手間を省くことができ、ユーザ６０の使い勝手が向上する。さらに、管理装置４００はサーバ５００と通信が可能な状態で関連情報を更新しているので、仮にサーバ５００との通信ができない状況や、サーバ５００が不調な状況いわゆるサーバダウンの状況であっても、バッテリ２００の貸し出しの可否をより適切に判断することができる。
【０１３０】
図１１は第１実施形態のさらに他の動作のフロー図である。図１１の動作では、管理装置４００がバッテリ２００の充電パターンを決定する。
【０１３１】
図１１に示されるフローが開始すると、ユーザ６０の車両１００に装着されているバッテリ２００に対して、車両１００からバッテリ情報を書き込む（Ｓ３０１）。当該バッテリ２００がステーション３００に返却されると、管理装置４００は、ステーション３００を介して、バッテリ２００に書き込まれているバッテリ情報をバッテリＩＤと共に読み出す（Ｓ３０３）。
【０１３２】
管理装置４００は、格納している複数の充電パターンの中から、読み出したバッテリ情報に対応する充電パターンを決定し（Ｓ３０５）、決定した充電パターンに従って返却されたバッテリ２００を充電する指示を、バッテリＩＤと共にステーション３００に出力する。ステーション３００は、管理装置４００からの充電指示に従い、入力されたバッテリＩＤに対応するバッテリ２００を充電して（Ｓ３０９）、当該フローは終了する。
【０１３３】
上記動作によれば、充電パターンは管理装置４００に格納されており、管理装置４００がバッテリ２００から読み出した関連情報に基づいて充電パターンが決定されるので、車両１００との通信状態や車両１００の位置に関わらず、当該バッテリ２００に適した充電をすることができる。
【０１３４】
図９から図１１の各動作のステップは他の動作のステップと並行して実行されてもよいし、いずれが前後して実行されてもよい。また、図９から図１１の各動作は、管理装置４００等の各装置が動作可能な状態である間、繰り返し実行される。
【０１３５】
上記実施形態において、ＳＯＣ算出部１０５は、バッテリ２００から読み出したＳＯＣ−ＯＣＶ曲線を更新し、更新したＳＯＣ−ＯＣＶ曲線と充放電量計測部１０３から入力されるバッテリ２００の現在の電圧とに基づいて、バッテリ２００の現在のＳＯＣを算出するが、これに代えて、ＳＯＣ算出部１０５は、特定の条件下で計測されたバッテリ２００の公称容量をバッテリ２００から読み出し、同じ特定の条件下でバッテリ２００の現在の放電容量を計測し、公称容量に対する現在の放電容量の比としてＳＯＣを算出してもよい。また代替的に、ＳＯＣ算出部１０５は、特定の条件下で予め測定されたバッテリ２００のＳＯＣ−ＯＣＶ曲線をバッテリ２００から読み出し、同じ特定の条件下でバッテリ２００の現在の電圧を測定し、ＳＯＣ−ＯＣＶ曲線と照らし合わせることでＳＯＣを概算的に計測してもよい。
【０１３６】
図１２は、第２実施形態によるフロー図である。図１２の動作は、図１０の動作の他の例である。第２実施形態における管理システム２０は、第１実施形態における管理システム２０と同じ構成を備えるため、重複する説明を省略する。
【０１３７】
ユーザ６０の車両１００に装着されている間に、バッテリ２００に対して、車両１００から固有情報を書き込む（Ｓ４０１）。当該バッテリ２００がステーション３００に返却されると、管理装置４００は、ステーション３００を介して、バッテリ２００に書き込まれている固有情報を読み出す（Ｓ４０３）。
【０１３８】
管理装置４００は、読み出した固有情報に基づいて、ステーション３００にストックされているバッテリ２００を特定するための特定情報を抽出し（Ｓ４０５）、ユーザ６０に適したバッテリ２００をお勧めするためのレコメンド情報をステーション３００に出力する（Ｓ４０７）。
【０１３９】
ステーション３００は、管理装置４００から入力されたレコメンド情報を表示部３０７に表示し（Ｓ１０９）、入力部３０９を介してユーザ６０からのバッテリ選択入力を受け付け（Ｓ４１１）、入力に従ってバッテリ貸出処理を行い（Ｓ４１３）、当該フローは終了する。当該フローは、管理装置４００等の各装置が動作可能な状態である間、繰り返し実行される。
【０１４０】
図１３は、第３実施形態による管理装置６００のブロック図であり、図１４は、第３実施形態によるサーバ７００のブロック図であり、図１５および図１６は、第３実施形態によるフロー図である。
【０１４１】
第３実施形態による管理装置６００およびサーバ７００の各構成および機能は、第１実施形態による管理装置４００およびサーバ５００の構成および機能と一部が異なる。具体的には、第３実施形態によるサーバ７００が第１実施形態による管理装置４００の構成および機能の一部を有し、その代わりに、第３実施形態による管理装置６００は当該一部の構成および機能を有さない。なお、第３実施形態における管理システム２０は、第１実施形態における管理システム２０と同じ構成を備えるため、重複する説明を省略する。また、図１３から図１６において、図１から１１と同じ構成には同じ又は類似する参照番号を付して、重複する説明を省略し、異なる点のみを説明する。
【０１４２】
図１３に示される管理装置６００は、読出部６０１、通信部６０３、貸出処理部６０７、充放電指示部６０９、書込部６１７、管理部６１９および格納部６２０を備える。格納部６２０は、充放電パターン格納部６２３、ＩＤリスト格納部６２９、関連情報格納部６３１、住所距離格納部６３３およびエリア情報格納部６３５を含む。
【０１４３】
読出部６０１は、ステーション３００に返却されたバッテリ２００から、バッテリＩＤ、使用履歴情報、固有情報などを読み出し、通信部６０３を介してサーバ７００に送信する。また、読出部６０１は、ステーション３００に返却されたバッテリ２００が収容された場所の情報を、ステーション３００から入力されると、通信部６０３を介してサーバ７００に送信する。
【０１４４】
通信部６０３は、サーバ７００から報奨情報およびバッテリＩＤを受信すると、これらの情報をステーション３００に出力し、また、当該バッテリＩＤに対応するバッテリ２００を返却したユーザ６０に対して報奨情報を表示する指示をステーション３００に出力する。また、通信部６０３は、ステーション３００に返却されたバッテリ２００に関する、劣化度、劣化等級、表示態様、バッテリ価格などの情報をサーバ７００から受信すると、書込部６１７に出力する。
【０１４５】
書込部６１７は、通信部６０３を介してサーバ７００から上記の情報を取得すると、ステーション３００に返却されたバッテリ２００に上記の情報を書き込む。
【０１４６】
図１４に示されるサーバ７００は、通信部７０１、管理部７０９、格納部７１０の他に、提示部７０５、劣化度算出部７１１、表示判断部７１３、価格判断部７１５、場所出力部７１２、優良返却報奨部７１４および優良使用報奨部７１６を備える。また、格納部７１０は、関連情報格納部７１７の他に、特定情報格納部７２１、条件格納部７２５、履歴格納部７２７および報奨情報格納部７３７を含む。通信部７０１は、受信部の一例である。
【０１４７】
通信部７０１は、管理装置６００から使用履歴情報およびバッテリＩＤを受信すると、バッテリＩＤを劣化度算出部７１１に出力すると共に、使用履歴情報をバッテリＩＤに対応付けて履歴格納部７２７に格納する。通信部７０１はまた、管理装置６００から固有情報およびバッテリＩＤを受信すると、提示部７０５に出力する。通信部７０１はまた、管理装置６００から、ステーション３００に返却されたバッテリ２００が収容された場所の情報を受信すると、優良返却報奨部７１４に出力する。
【０１４８】
提示部７０５は、通信部７０１から固有情報およびバッテリＩＤを入力されると、特定情報格納部７２１を参照することにより、固有情報に基づいて特定情報を抽出する。提示部７０５は、抽出した特定情報をバッテリＩＤと共に、通信部７０１を介して管理装置４００に送信する。
【０１４９】
劣化度算出部７１１は、通信部７０１からバッテリＩＤを入力されると、バッテリＩＤを用いて履歴格納部７２７に格納されている累積使用履歴情報を抽出し、抽出した累積使用履歴情報に基づいて劣化度を算出する。
【０１５０】
劣化度算出部７１１、表示判断部７１３、価格判断部７１５、優良返却報奨部７１４および優良使用報奨部７１６は、それぞれ出力した情報を、通信部７０１を介して管理装置４００に送信する。
【０１５１】
図１５は第３実施形態の動作のフロー図である。図１５の動作では、サーバ７００がバッテリ２００の劣化度等を算出する。
【０１５２】
ユーザ６０の車両１００にバッテリ２００が装着されている間に、車両１００がバッテリ２００に使用履歴情報を書き込む（Ｓ１０１）。バッテリ２００がステーション３００に返却されると、管理装置６００は、ステーション３００を介して、バッテリ２００に書き込まれている使用履歴情報およびバッテリＩＤを読み出し、ステーション３００から、バッテリ２００が収容された場所の情報を取得し、これらの情報をサーバ７００に送信する（Ｓ１０３）。
【０１５３】
サーバ７００は、読み出した使用履歴情報およびバッテリＩＤを格納する（Ｓ１０５）。サーバ７００は、読み出したバッテリＩＤに対応付けられている累積使用履歴情報を抽出し、抽出した累積使用履歴情報に基づいてバッテリ２００の劣化度を算出し、劣化等級を決定する（Ｓ１０７）。
【０１５４】
サーバ７００は、算出した劣化度が優良使用条件を満たすかどうかを判断し（Ｓ１０９）。優良使用条件を満たす場合には（Ｓ１０９：ＹＥＳ）、報奨情報およびバッテリＩＤを管理装置６００に送信し、管理装置６００は報奨情報をステーション３００に出力し（Ｓ１１１）、ステーション３００は報奨情報を表示する（Ｓ１１３）。算出した劣化度が優良使用条件を満たさない場合には（Ｓ１０９：ＮＯ）、サーバ７００は、報奨情報を管理装置６００に送信しない。
【０１５５】
サーバ７００は、決定した劣化等級に基づいて、バッテリ２００の適切な収容場所、劣化等級の表示態様およびバッテリ価格を決定する（Ｓ１１５）。サーバ７００は、返却されたバッテリ２００の実際の収容場所が、劣化等級から決定したバッテリ２００の適切な収容場所であるかどうかを判断し（Ｓ１１７）、バッテリ２００が適切な収容場所に返却されている場合には（Ｓ１１７：ＹＥＳ）、およびバッテリＩＤを管理装置６００に送信し、管理装置６００は報奨情報をステーション３００に出力し（Ｓ１１９）、ステーション３００は報奨情報を表示する（Ｓ１２１）。算出した劣化度が優良使用条件を満たさない場合には（Ｓ１１７：ＮＯ）、サーバ７００は、報奨情報を管理装置６００に送信しない。
【０１５６】
サーバ７００は、劣化等級から決定した、バッテリ２００における劣化等級の表示態様とバッテリ価格とを示す情報をバッテリＩＤと共に管理装置６００に送信し、管理装置６００はこれらの情報をステーション３００に出力して当該情報をバッテリ２００に書き込ませ（Ｓ１２３）、当該フローは終了する。なお、ステーション３００は、サーバ７００からの指示に従って、当該情報に示されるバッテリ価格を表示してもよい。
【０１５７】
図１６は、第３実施形態の他の動作のフロー図である。図１６の動作では、サーバ７００がバッテリ２００の貸し出し処理および情報引継ぎ処理を行う。
【０１５８】
ユーザ６０の車両１００にバッテリ２００が装着されている間に、車両１００からバッテリ２００に固有情報を書き込む（Ｓ２０１）。当該バッテリ２００がステーション３００に返却されると、管理装置６００は、ステーション３００を介して、バッテリ２００に書き込まれている固有情報を読み出し、サーバ７００に送信する（Ｓ２０３）。
【０１５９】
サーバ７００は、固有情報に基づいて、ステーション３００にストックされているバッテリ２００を特定するための特定情報を抽出し（Ｓ２０５）、ユーザ６０に適したバッテリ２００をお勧めするためのレコメンド情報を管理装置６００に送信し、管理装置６００はレコメンド情報をステーション３００に出力する（Ｓ２０７）。
【０１６０】
ステーション３００は、サーバ７００から入力されたレコメンド情報を表示部３０７に表示し（Ｓ１０９）、入力部３０９を介してユーザ６０からのバッテリ選択入力を受け付け（Ｓ２１１）、入力に従ってバッテリ貸出処理を行い（Ｓ２１３）、当該フローは終了する。
【０１６１】
上記動作によれば、サーバ７００がバッテリ２００の情報引き継ぎ処理を行うので、異なるステーション３００に返却された複数のバッテリ２００の情報についても、同一のユーザ６０または同一の車両１００でまとめて、次のバッテリ２００へ情報を引き継ぐことができる。
【０１６２】
図１５および図１６の各動作のステップは他の動作のステップと並行して実行されてもよいし、いずれが前後して実行されてもよい。また、図１５および図１６の各動作は、管理装置６００等の各装置が動作可能な状態である間、繰り返し実行される。
【０１６３】
図１７は、第４実施形態によるバッテリ８００のブロック図であり、図１８は、第４実施形態による管理装置９００のブロック図である。
【０１６４】
第４実施形態によるバッテリ８００および管理装置９００の各構成および機能は、第１実施形態によるバッテリ２００および管理装置４００の構成および機能と一部が異なる。図１７から図１９において、図１から１１と同じ構成には同じ又は対応する参照番号を付して、重複する説明を省略する。
【０１６５】
図１７に示されるバッテリ８００は、格納部８１０、劣化表示部８４０、計測部８５０、劣化度算出部８６１および価格判断部８６５を備える。格納部８１０は、累積使用履歴情報格納部８１２、バッテリ情報格納部８１７、関連情報格納部８１９および条件格納部８２５を含む。
【０１６６】
計測部８５０は、バッテリ８００の充放電量を計測し、累積使用履歴情報格納部８１２に格納する。より具体的には、計測部８５０はバッテリ８００に出入りする電流とバッテリ８００の電圧とを計測し、電流および電圧を積算して電力量を算出する。
【０１６７】
累積使用履歴情報格納部８１２は、使用履歴情報を累積した情報である累積使用履歴情報を格納する。当該使用履歴情報には、計測部８５０で計測されたバッテリ８００の充放電量の履歴情報が含まれる。当該使用履歴情報は、バッテリ８００が装着された車両１００の車両ＩＤと対応付けられて格納されてもよい。なお、累積使用履歴情報には、バッテリ８００が新品の状態から使用され始めて現在に至るまでの期間における全ドライブサイクルの使用履歴情報が含まれることが好ましいが、一部のドライブサイクルの使用履歴情報が欠落していてもよい。累積使用履歴情報格納部８１２は、運転履歴格納部８１３および使用状況履歴格納部８１５を含む。
【０１６８】
条件格納部８２５は、バッテリ８００の劣化度から劣化等級を判断するための劣化等級条件と、バッテリ８００の劣化等級からバッテリ８００の価格を判断するための価格条件とを格納する。関連情報格納部８１９は、ユーザ関連情報格納部８２１および車両関連情報格納部８２３を含む。
【０１６９】
劣化度算出部８６１は定期的に又は不定期的に、累積使用履歴情報格納部８１２に格納されている累積使用履歴情報に基づいて劣化度を算出し、条件格納部８２５を参照して、算出した劣化度から劣化等級を決定する。劣化度算出部８６１は、劣化等級の情報を価格判断部８６５に出力すると共に劣化表示部８４０に出力し、劣化等級を外部から視認可能に表示させる。さらに、劣化度算出部８６１は劣化度および劣化等級の情報をバッテリ情報格納部８１７に格納する。
【０１７０】
価格判断部８６５は、劣化度算出部８６１から劣化等級の情報を入力されると、条件格納部８２５を参照して、劣化等級からバッテリ価格を決定し、劣化表示部８４０に出力して、バッテリ価格を外部から視認可能に表示させる。なお、条件格納部８２５が劣化度からバッテリ価格を判断するための価格条件を格納し、価格判断部８６５は、劣化度算出部８６１から劣化度の情報を入力されると、条件格納部８２５を参照して、劣化度からバッテリ価格を決定してもよい。なお、劣化度算出部８６１および価格判断部８６５は、算出部の一例である。
【０１７１】
図１８に示される管理装置９００は、読出部９０１、通信部９０３、提示部９０５、貸出処理部９０７、充放電指示部９０９、場所出力部９１２、優良返却報奨部９１４、優良使用報奨部９１６、書込部９１７、管理部９１９および格納部９２０を備える。格納部９２０は、特定情報格納部９２１、充放電パターン格納部９２３、条件格納部９２５、履歴格納部９２７、ＩＤリスト格納部９２９、関連情報格納部９３１、住所距離格納部９３３、エリア情報格納部９３５および報奨情報格納部９３７を含む。
【０１７２】
読出部９０１は、ステーション３００に返却されたバッテリ８００から、バッテリＩＤ、使用履歴情報、劣化度情報、劣化等級情報などを読み出し、履歴格納部９２７に格納し、書込部９１７に出力する。また、読出部９０１は、読み出した劣化等級情報を場所出力部９１２に出力し、劣化度情報を優良使用報奨部９１６に出力する。
【０１７３】
図１９は第４実施形態の動作のフロー図である。図１９の動作では、バッテリ８００が自身の劣化度を算出する。
【０１７４】
ユーザ６０の車両１００にバッテリ８００が装着されている間に、車両１００から使用履歴情報を書き込まれると（Ｓ１０１）、使用履歴情報を格納する（Ｓ１０３）。バッテリ８００は、格納している累積使用履歴情報に基づいて劣化度を算出し、劣化度から劣化等級を決定する（Ｓ１０５）。
【０１７５】
バッテリ８００は、決定した劣化等級に基づいてバッテリ価格を決定し（Ｓ１０７）、決定した劣化等級およびバッテリ価格を外部から視認可能に表示する（Ｓ１０９）。
【０１７６】
当該バッテリ８００がステーション３００に返却されると、管理装置９００は、ステーション３００を介して、バッテリ８００に書き込まれている使用履歴情報、劣化度情報、劣化等級情報などをバッテリＩＤと共に読み出し、ステーション３００から、バッテリ８００が収容された場所の情報を取得する（Ｓ１１１）。
【０１７７】
管理装置９００は、読み出した使用履歴情報およびバッテリＩＤを格納する（Ｓ１１３）。管理装置９００は、読み出した劣化度情報に示される劣化度が優良使用条件を満たすかどうかを判断する（Ｓ１１５）。
【０１７８】
条件を満たす場合には（Ｓ１１５：ＹＥＳ）、報奨情報をステーション３００に出力し（Ｓ１１７）、ステーション３００は報奨情報を表示する（Ｓ１１９）。算出した劣化度が優良使用条件を満たさない場合には（Ｓ１１５：ＮＯ）、管理装置９００は、報奨情報をステーション３００に出力しない。
【０１７９】
管理装置９００は、バッテリ８００から読み出した劣化等級に基づいてバッテリ８００の適切な収容場所を決定する（Ｓ１２１）。管理装置９００は、返却されたバッテリ８００の実際の収容場所が、劣化等級から決定したバッテリ８００の適切な収容場所であるかどうかを判断する（Ｓ１２３）。
【０１８０】
バッテリ８００が適切な収容場所に返却されている場合には（Ｓ１２３：ＹＥＳ）、報奨情報をステーション３００に出力し（Ｓ１２５）、ステーション３００は報奨情報を表示して（Ｓ１２７）、当該フローは終了する。算出した劣化度が優良使用条件を満たさない場合には（Ｓ１２３：ＮＯ）、管理装置９００は、報奨情報をステーション３００に出力しないで、当該フローは終了する。当該フローは、管理装置９００等の各装置が動作可能な状態である間、繰り返し実行される。なお、ステーション３００は、バッテリ８００から読み出した劣化等級およびバッテリ価格を表示してもよい。
【０１８１】
上記動作によれば、劣化度、劣化等級および価格がバッテリ２００自身により決定されるので、バッテリ２００の使用中に劣化度等をユーザ６０が逐次把握することができる。さらに、ステーション３００への返却時にバッテリ２００の劣化度等が最新の状態に更新されているので、ステーション３００の側で改めて劣化度等を決定しなくてもよく、返却時の処理を早くすることができる。
【０１８２】
図２０は、第５実施形態による管理システム１９の概略図である。また、図２１から図２３は第５実施形態による各構成のブロック図であり、図２４は第５実施形態によるフロー図である。
【０１８３】
図２０に示される通り、第５実施形態による管理システム１９は、第１実施形態による管理システム２０と異なり、サーバ５００を備えず、各構成が通信ネットワーク４０を介した通信を行わない。第５実施形態による車両１５０、バッテリ２５０および管理装置４５０の各構成および機能は、第１実施形態による車両１００、バッテリ２００および管理装置４００の構成および機能と一部が異なる。図２０から図２４において、図１から１１と同じ構成には同じ又は対応する参照番号を付して、重複する説明を省略する。
【０１８４】
管理システム１９は、ステーション３００に返却されたバッテリ２５０から読み出した認証キーで認証が成功した場合に、車両１５０に次に貸し出すバッテリ２５０に新たな認証キーを生成して書き込む。認証キーを更新することにより、品質が保証されていない模倣品が用いられてユーザ６０に不満が生じるのを抑制する。
【０１８５】
図２１は、車両１５０のブロック図である。車両１５０の格納部１２０は、認証キー格納部１２４を含む。車両１５０は更に、バッテリ収容部１０１に収容されたバッテリ２５０と通信する通信部１０２と、認証キーを照合する照合部１２７と、通信部１０２を介して古い認証キーを消去するための消去信号をバッテリ２５０に送信する消去部１２９と、任意のメッセージ、例えば認証エラーのメッセージを表示する表示部１３１とを備える。
【０１８６】
認証キー格納部１２４は、認証キーを格納する。認証キー格納部１２４は、バッテリ２５０に書き込まれているバッテリ２５０用の第１の認証キーおよび管理装置４５０用の第２の認証キーと相互に認証可能な、車両１５０用の第３の認証キーを格納する。
【０１８７】
通信部１０２は、バッテリ収容部１０１にバッテリ２５０が収容されると、バッテリ２５０に書き込まれている第１の認証キーを有線通信または無線通信により読み出して、照合部１２７に出力する。
【０１８８】
照合部１２７は、通信部１０２から第１の認証キーを入力されると、認証キー格納部１２４に格納されている第３の認証キーを取得して、第１の認証キーと第３の認証キーとを照合する。照合部１２７は、第１の認証キーと第３の認証キーとが相互に認証できた場合、その旨を示す認証情報を消去部１２９に出力する。照合部１２７は、第１の認証キーと第３の認証キーとが相互に認証できなかった場合、認証エラーのメッセージを表示する指示を表示部１３１に出力し、当該メッセージを表示させる。
【０１８９】
消去部１２９は、照合部１２７から認証情報を入力されると、通信部１０２に、バッテリ収容部１０１に収容されているバッテリ２５０に書き込まれている新たな第３の認証キーを読み出させて認証キー格納部１２４に格納させる。消去部１２９は更に、認証キー格納部１２４に格納されている古い第３の認証キーを消去する。消去部１２９は更に、通信部１０２を介して、バッテリ２５０に書き込まれている古い第１の認証キーを消去する。なお、当該バッテリ２５０には、新たな第１の認証キーも書き込まれているが、消去部１２９は、選択的に当該新たな第１の認証キーを消去しないようにする。
【０１９０】
図２２は、バッテリ２５０のブロック図である。バッテリ２５０の格納部２１０は、認証キーを格納する認証キー格納部２１８を含む。認証キー格納部２１８は、第１の認証キーおよび第３の認証キーを格納する。バッテリ２５０は、ステーション３００および車両１５０と通信する通信部２３０を備える。
【０１９１】
通信部２３０は、ステーション３００を介して管理装置４５０から、格納部２１０に格納されている情報の読出し及び書き込みをする指示を受信すると、当該指示に従って当該情報の読出し及び書き込みを行い、読み出した情報はステーション３００に送信する。通信部２３０はまた、車両１５０から消去信号を受信すると、消去信号に従って、例えば認証キー格納部２１８に格納されている古い第１の認証キーを消去する。通信部２３０はまた、ステーション３００からバッテリ２５０の現在の劣化状態を表示する指示を受信すると劣化表示部２４０に出力する。
【０１９２】
図２３は、管理装置４５０のブロック図である。管理装置４５０の格納部４２０は、認証キーを格納する認証キー格納部４３０を含む。認証キー格納部４３０は、例えば第２の認証キーを格納する。
【０１９３】
管理装置４５０は、認証キーを照合する照合部４４１と、新たな認証キーを生成する生成部４４３と、認証キー格納部４３０に格納されている古い認証キーを消去する消去部４４５とを備える。
【０１９４】
照合部４４１は、読出部４０１から第１の認証キーおよび第３の認証キーを入力されると、認証キー格納部４３０に格納されている第２の認証キーを取得して、第１の認証キーおよび第３の認証キーと第２の認証キーとをそれぞれ照合する。照合部４４１は、第１の認証キーおよび第３の認証キーと第２の認証キーとがそれぞれ相互に認証できた場合、その旨を示す認証情報を生成部４４３に出力する。照合部４４１は、第１の認証キーおよび第３の認証キーと第２の認証キーとの少なくとも何れかが相互に認証できなかった場合、認証エラーのメッセージを表示する指示をステーション３００の表示部３０７に出力し、当該メッセージを表示させる。当該メッセージは、いずれの認証キーの組間において相互認証ができなかったのかを示してもよい。
【０１９５】
生成部４４３は、照合部４４１から認証情報を入力されると、相互に認証可能な３つの新たな認証キーを生成する。具体的には、生成部４４３は、新たな第２の認証キーと、新たな第１の認証キーと、新たな第３の認証キーとを生成する。生成部４４３は、新たな第２の認証キーを消去部４４５に出力し、新たな第１の認証キーと、新たな第３の認証キーとを、古い第１の認証キーと共に書込部４１７に出力する。
【０１９６】
消去部４４５は、生成部４４３から新たな第２の認証キーを入力されると、当該新たな第２の認証キーを認証キー格納部４３０に格納すると共に、認証キー格納部４３０に予め格納されている第２の認証キー、すなわち古い第２の認証キーを消去する。当該新たな第２の認証キーを認証キー格納部４３０に格納することと、認証キー格納部４３０に格納されている古い第２の認証キーを消去することとは、予め定められた順に行われてもよく、順不同であってもよい。
【０１９７】
上記のように、生成部４４３によって認証キーが生成される前に存在していた認証キーを古い認証キーと呼ぶ場合があり、生成部４４３によって生成された認証キーを新たな認証キーと呼ぶ場合がある。
【０１９８】
書込部４１７は、生成部４４３で生成された新たな第１の認証キーと、新たな第３の認証キーとを、古い第１の認証キーと共に入力されると、バッテリ２５０を返却してきたユーザ６０に対してステーション３００から貸し出すバッテリ２５０に書き込む指示をステーション３００に出力する。
【０１９９】
本実施形態における管理装置４５０は、単に説明を明確にする目的で、図７に示された第１実施形態による管理装置４００の提示部４０５、管理部４１９、貸出処理部４０７、場所出力部４１２、優良返却報奨部４１４および優良使用報奨部４１６を備えておらず、当該管理装置４００の格納部４２０に含まれるＩＤリスト格納部４２９、関連情報格納部４３１、住所距離格納部４３３、エリア情報格納部４３５および報奨情報格納部４３７も備えていない。しかしながら、本実施形態における管理装置４５０は、第１実施形態による管理装置４００が備えるこれらの構成の一部または全てを備えていてもよい。
【０２００】
図２４は、第５実施形態によるフロー図である。図２４のフローの説明は、特定のユーザ６０が、自身の車両１５０で使用したバッテリ２５０をステーション３００に返却することで開始する。
【０２０１】
車両１５０にバッテリ２５０が装着されているときに、車両１５０が第３の認証キーを予めバッテリ２５０に書き込む（Ｓ１０１）。車両１５０からバッテリ２５０が取り外され（Ｓ１０３）、ステーション３００に返却されると、管理装置４５０は、ステーション３００を介して、バッテリ２５０に書き込まれている第１の認証キーと第３の認証キーとを読み出す（Ｓ１０５）。
【０２０２】
管理装置４５０は、読み出した第１の認証キーおよび第３の認証キーのそれぞれを、管理装置４５０が保有している第２の認証キーと照合する（Ｓ１０７）。
【０２０３】
第１の認証キーおよび第３の認証キーの何れかが第２の認証キーと相互認証できなかった場合には（Ｓ１０９：ＮＯ）、認証エラーの表示指示をステーション３００に出力し（Ｓ１１１）、当該フローは終了する。第１の認証キーおよび第３の認証キーの何れも第２の認証キーと相互認証できた場合には（Ｓ１０９：ＹＥＳ）、ステーション３００に返却されているバッテリ２５０の情報を読み出す（Ｓ１１２）。なお相互認証できなかった場合にはステーション３００はバッテリ２５０の情報を読み出せない。
【０２０４】
管理装置４５０は、新たな第１の認証キー、新たな第２の認証キーおよび新たな第３の認証キーを生成し（Ｓ１１３）、管理装置４５０に格納されている古い第２の認証キーを消去して、新たな第２の認証キーを格納する（Ｓ１１５）。
【０２０５】
管理装置４５０は、新たな第１の認証キーと、新たな第３の認証キーとを、古い第１の認証キーと共に、ユーザ６０に貸し出すバッテリ２５０に書き込んで貸出処理をする指示をステーション３００に出力する（Ｓ１１７）。この場合に貸し出すバッテリ２５０に他の第１の認証キーおよび第３の認証キーが予め格納されている場合であっても、上記第１の認証キーおよび第３の認証キーへ更新される。なお、管理装置４５０は、充電が完了したバッテリ２５０を貸し出すことが好ましい。
【０２０６】
ユーザ６０がステーション３００から貸し出されたバッテリ２５０を車両１５０に取り付けると（Ｓ１１９）、車両１５０は当該バッテリ２５０から古い第１の認証キーを読み出し（Ｓ１２１）、古い第１の認証キーを、自身が保有している古い第３の認証キーと照合する（Ｓ１２３）。
【０２０７】
古い第１の認証キーと古い第３の認証キーとが相互認証できなかった場合には（Ｓ１２５：ＮＯ）、車両１５０は、認証エラーのメッセージを表示し（Ｓ１２７）、当該フローは終了する。第１の認証キーと第３の認証キーとが相互認証できた場合には（Ｓ１２５：ＹＥＳ）、車両１５０は、当該バッテリ２５０から新たな第３の認証キーを読み出して格納すると共に（Ｓ１２９）、自身が保有している古い第３の認証キーを消去する（Ｓ１３１）。車両１５０はこれと共に、消去信号を当該バッテリ２５０に送信し（Ｓ１３３）、バッテリ２５０に書き込まれている古い第１の認証キーおよび新たな第３の認証キーを消去させ（Ｓ１３５）、当該フローは終了する。以上、図２４のフローは管理装置４５０などの各装置が動作している間は繰り返し実行される。
【０２０８】
上記実施形態において、車両１５０は、Ｓ１２５において、貸し出されたバッテリ２５０との間で認証キーの相互認証ができたことを条件として、任意に、当該バッテリ２５０に対する情報の書込み処理及び読出し処理を行ってもよい。
【０２０９】
以上、本実施形態の管理システム１９によれば、悪意の第３者がバッテリ２５０から不正に第１の認証キーを取得し、品質が保証されていない低価格の模倣品に書き込んでも、当該第１の認証キーが格納されている真正のバッテリ２５０が既にステーション３００に返却されている場合には新たな認証キーに更新されているので、模倣品は認証に成功しない。よって、当該模倣品は管理装置４５０及び車両１５０の何れにも適用させることができない。これにより、ユーザ６０が、意図せずステーション３００から模倣品を借りてしまうことも防止でき、純正品のバッテリ２５０だと思い込んで模倣品を借りてしまって例えば馬力が低い走行や激しい電池消耗などに不満を感じるようなことも防止できる。
【０２１０】
また、上記の構成によれば、管理装置４５０及び車両１５０の何れも、収容したバッテリ２５０との間で認証キーの相互認証ができなければ、バッテリ２５０に対する情報の書込み処理及び読出し処理の何れも行わないので、模倣品を介して情報が不正に流出するようなことも防止できる。
【０２１１】
図２５は第６実施形態による管理システム２１の概略図である。管理システム２１において、第５実施形態の管理システム１９と同じ構成には同じ番号を付して説明を省略する。図２５に示される通り、管理システム２１において、車両１６０、バッテリ２５０および管理装置４６０は通信ネットワーク４０を介して相互に通信する。
【０２１２】
図２６は車両１６０のブロック図である。車両１６０は消去部１２９を有しない点、および、通信部１６２が管理装置４６０と通信する点が異なる。その他、第５実施形態の車両１５０と同じ構成については説明を省略する。
【０２１３】
図２７は管理装置４６０のブロック図である。管理装置４６０は通信部４６３が車両１６０とも通信し、消去部４６５が車両１６０に認証キーの消去の指示をする点が異なる。その他、第５実施形態の管理装置４５０と同じ構成については説明を省略する。
【０２１４】
図２８は第６実施形態の管理システム２１の動作のフロー図である。図２８は、図２４の動作におけるステップＳ１２３以降の動作のフローを示す。図２４のステップＳ１２３の照合で相互認証できなかった場合に（Ｓ２２５：Ｎｏ）、車両１６０は認証エラーを表示部１３１に表示して（Ｓ２２７）、フローを終了する。
【０２１５】
相互認証できた場合には（Ｓ２２５：ＹＥＳ）、車両１６０は当該バッテリ２５０から新たな第３の認証キーを読み出して格納する（Ｓ１２９）。さらに車両１６０は相互認証が成功したことを示す認証通知を管理装置４６０に送信する（Ｓ２３１）。
【０２１６】
管理装置４６０は、認証通知を受信した場合にバッテリ２５０へ古い第１の認証キーを消去する消去信号を送る（Ｓ２３３）。バッテリ２５０はステーション３００を介して消去信号を受信すると、古い第１の認証キーを消去する（Ｓ２３５）。
【０２１７】
同様に、管理装置４６０は、認証通知を受信した場合に車両１６０へ古い第３の認証キーを消去する消去信号を送る（Ｓ２３７）。車両１６０は消去信号を受信すると、古い第３の認証キーを消去する（Ｓ２３９）。以上で当該フローは終了する。以上、図２８のフローは管理装置４６０などの各装置が動作している間は繰り返し実行される。
【０２１８】
本実施形態でも第５実施形態と同様の効果を奏する。さらに、車両１６０に消去部を設けなくても、車両１６０およびバッテリ２５０の古い認証キーを消去することができる。
【０２１９】
図２９は、第７実施形態の管理装置４７０のブロック図である。管理装置４７０は消去部４４５を有しない点、および、通信部４７３が車両１７０と通信する点が第５実施形態の管理装置４５０と異なる。その他、第５実施形態の管理装置４５０を同じ構成については説明を省略する。
【０２２０】
車両１７０は管理装置４５０と通信する点、および、消去部１２９に認証キーを消去する消去信号を送信する点が第５実施形態の車両１５０と異なる。その他は第５実施形態の車両１５０と同じなのでブロック図および説明を省略する。
【０２２１】
図３０は第７実施形態の動作のフロー図である。図３０は、図２４の動作におけるステップＳ１１３以降の動作のフローを示す。まず、ステップＳ３１５において管理装置４７０は新たな第２の認証キーを格納する。ただし、管理装置４７０は消去部を有さないので、古い認証キーも残っている。以降、ステップＳ３１７からＳ３３５までは、図２４のステップＳ１１７からＳ１３５と同じなので説明を省略する。
【０２２２】
車両１７０はステップＳ３２５で相互認証できたことを条件に、管理装置４７０に消去信号を送って（Ｓ３３７）、管理装置４７０に記録されている古い第２の認証キーを消去する（Ｓ３３９）。以上で当該フローは終了する。以上、図３０のフローは管理装置４７０などの各装置が動作している間は繰り返し実行される。
【０２２３】
本実施形態でも第５実施形態と同様の効果を奏する。さらに車両１７０でバッテリ２５０との認証が成功してから管理装置４７０の古い認証キーが消去される。よって、正規のバッテリ２５０であるにも関わらず何らかの事情で車両１７０とバッテリ２５０との認証が成功しなかった場合に、改めて古い認証キーでステップＳ１０７から動作をやり直すことができる。
【０２２４】
以上、第５実施形態では管理装置及び車両が消去部を有し、第６実施形態では管理装置のみが消去部を有し、第７実施形態では車両のみが消失部を有する。これに代えて、バッテリのみが消去部を有してもよい。
【０２２５】
この場合に、バッテリに照合部を設けて、車両から第３の認証キーを読み出して自身の第１の認証キーと照合してもよい。照合部が認証に成功した場合に車両に新たな第３の認証を送信するとともに、バッテリの消失部が車両の古い第２の認証キーを消失させる。
【０２２６】
さらに、バッテリに照合部が管理装置から第２の認証キーを読み出して自身の第１の認証キーと照合してもよい。照合部が認証に成功した場合に、バッテリの消失部が管理装置の古い第２の認証キーを消失させる。
【０２２７】
なお、認証が成功しない場合にバッテリの情報の読み書きの処理を不可能にすることは、他の実施形態と同様である。
【０２２８】
なお、管理装置、バッテリ及び車両のそれぞれが消去部を有してもよい。また、何れも消去部を有さず、新しい認証キーが、何らかのトリガにより古い認証キーを消去するようプログラムされていてもよい。
【０２２９】
以上の第５から第７実施形態では、認証キーは互いに照合して認証ができるものであれば、特に限られない。例えば、認証キーは互いに少なくとも一部が同一の文字列、数列またはその組み合わせであって、同一部分が一致することをもって認証が成功したと判断する。認証キーが互いに異なる数列であって、各位の数値を足し合わせるなど、特定の演算を行った場合に既知の解が導かれることをもって認証が成功したと判断してもよい。
【０２３０】
以上の第５から第７実施形態において、管理装置は、バッテリが返却される度に生成した管理装置用の認証キーを、貸し出したバッテリの数だけ、バッテリが返却されるまで格納しておく。これに代えて、管理装置は、バッテリが返却される度にバッテリ及び車両用の認証キーのみを生成し、生成した全ての認証キーに対して共通のハッシュ値を保有しておき、バッテリが返却されたときは、認証キーの相互認証を行わずに、バッテリから取得したバッテリ及び車両用の認証キーと当該ハッシュ値を用いて、純正なバッテリ及び車両であることを判断してもよい。
【０２３１】
以上の第５から第７実施形態では、ステーションにバッテリが返却されると、管理装置が、管理装置、バッテリ及び車両のそれぞれに固有の、相互に認証可能な認証キーを毎回新たに生成するので、ユーザは、バッテリを借りたステーションと同じステーションに返却することを前提としている。しかしながら、一の管理装置が生成した新たな認証キーを他の複数の管理装置に配信して、異なるステーションに配された複数の管理装置間で当該新たな認証キーを共有することによって、ユーザが、バッテリを借りたステーションと異なるステーションに返却しても、当該バッテリと当該異なるステーションの管理装置との間での認証キーの相互認証を可能にしてもよい。また、管理システムが追加的に、複数の管理装置から新たに生成された認証キーを受信して一元管理するサーバを備え、ユーザが、バッテリを借りたステーションと異なるステーションに返却すると、当該異なるステーションの管理装置がサーバに問い合わせて新たな認証キーを取得することで、ユーザが返却した当該バッテリと当該異なるステーションの管理装置との間での認証キーの相互認証を可能にしてもよい。
【０２３２】
以上の第５から第７実施形態では、ステーションにバッテリが返却されると、管理装置が、管理装置、バッテリ及び車両のそれぞれに固有の、相互に認証可能な認証キーを毎回新たに生成するが、これに代えて、予め定められた日時、例えば１月１日の０時を経過した後から翌年の１月１日の０時を経過する前までの間に、ステーションにバッテリが返却される度、管理装置は、管理装置、バッテリ及び車両に共通の１つの認証キーを繰り返し生成し、翌年の１月１日の０時を経過したら、管理装置、バッテリ及び車両に共通の、新たな１つの認証キーに変更して、昨年同様、ステーションにバッテリが返却される度、当該新たな１つの認証キーを繰り返し生成してもよい。
【０２３３】
また、以上の第５から第７実施形態では、バッテリが返却された場合に当該バッテリの認証キーを更新するようにしてもよい。また、以上の第５から第７実施形態では、バッテリの貸し出し時に認証キーを毎回更新することに代えて、予め定められたタイミングで認証キーを更新してもよい。予め定められたタイミングの一例は、一定期間ごと、当該認証キーで認証された回数等が挙げられる。
【０２３４】
以上の第５から第７実施形態では、新たな車両が導入される場合にはバッテリが返却される段階は無く、バッテリを貸し出すことになる。よって、車両にバッテリが装着される初回時には、管理会社が車両を制御して、車両では照合処理を行わずに車両にバッテリから新たな第３の認証キーを読み出して格納させることが好ましい。また、図２４のステップＳ１０９等で認証が成功しなかった場合であって、新たなバッテリを貸し出すときには、同様の制御を行ってもよい。
【０２３５】
図３１は、変形例としてのステーション１０００の模式図である。図３１に示されるステーション１０００は、図１に示されるステーション３００と異なる点として、２つの収容棚が横並びで設けられ、各収容棚は、収容しているバッテリ２００をステーション１０００の内部で移動可能な状態で保持し、収容棚間には搬送路が設けられ、各収容棚に収容しているバッテリ２００を、搬送路を介して移動することができる。
【０２３６】
また、各収容棚には、ＩＮと示されるバッテリ２００の返却口が１か所配され、ＯＵＴと示される貸し出しバッテリ２００の排出口が１か所配され、ユーザ６０は、収容棚内に収容されているバッテリ２００を外部から視認できない。
【０２３７】
更に、当該変形例では、各収容棚の上部にディスプレイが配され、紙面に向かって左側の収容棚のディスプレイには「ラベルが赤のバッテリはこちらに返却して下さい」と表示され、右側の収容棚のディスプレイには「ラベルが青のバッテリはこちらに返却して下さい」と表示され、紙面に向かって左側の収容棚は、例えば劣化等級１〜３のバッテリ２００専用で、右側の収容棚は、例えば劣化等級４〜５のバッテリ２００専用である。このように、ステーション１０００においては、劣化等級および劣化表示に応じてバッテリ２００の収容棚が異なっている。
【０２３８】
以上の第１実施形態から第７実施形態において、ステーションは、電力会社の変電所から供給される電力を、ストックしているバッテリに供給するが、追加的に、ステーションには、太陽光などの自然エネルギーから発電する発電装置が設けられ、発電装置で生成された電力をストックしているバッテリに充電してもよい。また、ステーションには、バッファとしての緊急用バッテリが設けられていてもよい。緊急用バッテリは、例えば、劣化度が高くて貸し出し用バッテリとして用いることができない古いバッテリであってもよい。
【０２３９】
本発明の様々な実施形態は、フローチャートおよびブロック図を参照して記載されてよく、ここにおいてブロックは、（１）操作が実行されるプロセスの段階または（２）操作を実行する役割を持つ装置のセクションを表わしてよい。特定の段階およびセクションが、専用回路、コンピュータ可読媒体上に格納されるコンピュータ可読命令と共に供給されるプログラマブル回路、および／またはコンピュータ可読媒体上に格納されるコンピュータ可読命令と共に供給されるプロセッサによって実装されてよい。専用回路は、デジタルおよび／またはアナログハードウェア回路を含んでよく、集積回路（ＩＣ）および／またはディスクリート回路を含んでよい。プログラマブル回路は、論理ＡＮＤ、論理ＯＲ、論理ＸＯＲ、論理ＮＡＮＤ、論理ＮＯＲ、および他の論理操作、フリップフロップ、レジスタ、フィールドプログラマブルゲートアレイ（ＦＰＧＡ）、プログラマブルロジックアレイ（ＰＬＡ）等のようなメモリ要素等を含む、再構成可能なハードウェア回路を含んでよい。
【０２４０】
コンピュータ可読媒体は、適切なデバイスによって実行される命令を格納可能な任意の有形なデバイスを含んでよく、その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【０２４１】
コンピュータ可読命令は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、および「Ｃ」プログラミング言語または同様のプログラミング言語のような従来の手続型プログラミング言語を含む、１または複数のプログラミング言語の任意の組み合わせで記述されたソースコードまたはオブジェクトコードのいずれかを含んでよい。
【０２４２】
コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供され、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【０２４３】
図３２は、本発明の複数の態様が全体的又は部分的に具現化されうるコンピュータ１２００の例を示す。コンピュータ１２００にインストールされたプログラムは、コンピュータ１２００に、本発明の実施形態に係る装置に関連付けられるオペレーション又は当該装置の１又は複数の「部」として機能させ、又は当該オペレーション又は当該１又は複数の「部」を実行させることができ、及び／又はコンピュータ１２００に、本発明の実施形態に係るプロセス又は当該プロセスの段階を実行させることができる。このようなプログラムは、コンピュータ１２００に、本明細書に記載のフローチャート及びブロック図のブロックのうちのいくつか又はすべてに関連付けられた特定のオペレーションを実行させるべく、ＣＰＵ１２１２によって実行されてよい。
【０２４４】
本実施形態によるコンピュータ１２００は、ＣＰＵ１２１２、ＲＡＭ１２１４、グラフィックコントローラ１２１６、及びディスプレイデバイス１２１８を含み、これらはホストコントローラ１２１０によって相互に接続される。コンピュータ１２００はまた、通信インターフェース１２２２、ハードディスクドライブ１２２４、ＤＶＤ−ＲＯＭドライブ１２２６、及びＩＣカードドライブのような入出力ユニットを含み、これらは入出力コントローラ１２２０を介してホストコントローラ１２１０に接続される。コンピュータはまた、ＲＯＭ１２３０及びキーボード１２４２のようなレガシの入出力ユニットを含み、これらは入出力チップ１２４０を介して入出力コントローラ１２２０に接続される。
【０２４５】
ＣＰＵ１２１２は、ＲＯＭ１２３０及びＲＡＭ１２１４内に格納されたプログラムに従い動作し、これにより各ユニットを制御する。グラフィックコントローラ１２１６は、ＲＡＭ１２１４内に提供されるフレームバッファ等又は当該グラフィックコントローラ１２１６自体の中に、ＣＰＵ１２１２によって生成されるイメージデータを取得し、イメージデータがディスプレイデバイス１２１８上に表示させる。
【０２４６】
通信インターフェース１２２２は、ネットワークを介して他の電子デバイスと通信する。ハードディスクドライブ１２２４は、コンピュータ１２００内のＣＰＵ１２１２によって使用されるプログラム及びデータを格納する。ＤＶＤ−ＲＯＭドライブ１２２６は、プログラム又はデータをＤＶＤ−ＲＯＭ１２０１から読み取り、ハードディスクドライブ１２２４にＲＡＭ１２１４を介してプログラム又はデータを提供する。ＩＣカードドライブは、プログラム及びデータをＩＣカードから読み取り、及び／又はプログラム及びデータをＩＣカードに書き込む。
【０２４７】
ＲＯＭ１２３０は、内部に、アクティブ化時にコンピュータ１２００によって実行されるブートプログラム等、及び／又はコンピュータ１２００のハードウェアに依存するプログラムを格納する。入出力チップ１２４０はまた、様々な入出力ユニットをパラレルポート、シリアルポート、キーボードポート、マウスポート等を介して、入出力コントローラ１２２０に接続してよい。
【０２４８】
プログラムが、ＤＶＤ−ＲＯＭ１２０１又はＩＣカードのようなコンピュータ可読記憶媒体によって提供される。プログラムは、コンピュータ可読記憶媒体から読み取られ、コンピュータ可読記憶媒体の例でもあるハードディスクドライブ１２２４、ＲＡＭ１２１４、又はＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置又は方法が、コンピュータ１２００の使用に従い情報のオペレーション又は処理を実現することによって構成されてよい。
【０２４９】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インターフェース１２２２に対し、通信処理を命令してよい。通信インターフェース１２２２は、ＣＰＵ１２１２の制御の下、ＲＡＭ１２１４、ハードディスクドライブ１２２４、ＤＶＤ−ＲＯＭ１２０１、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【０２５０】
また、ＣＰＵ１２１２は、ハードディスクドライブ１２２４、ＤＶＤ−ＲＯＭドライブ１２２６（ＤＶＤ−ＲＯＭ１２０１）、ＩＣカード等のような外部記録媒体に格納されたファイル又はデータベースの全部又は必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【０２５１】
様々なタイプのプログラム、データ、テーブル、及びデータベースのような、様々なタイプの情報が、情報処理されるべく、記録媒体に格納されてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、当該複数のエントリの中から、第１の属性の属性値が指定されている条件に一致するエントリを検索し、当該エントリ内に格納された第２の属性の属性値を読み取り、これにより予め定められた条件を満たす第１の属性に関連付けられた第２の属性の属性値を取得してよい。
【０２５２】
以上の説明によるプログラム又はソフトウェアモジュールは、コンピュータ１２００上又はコンピュータ１２００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、これにより、プログラムをコンピュータ１２００にネットワークを介して提供する。
【０２５３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。また、各構成要素は、名称が同一で、参照符号が異なる他の構成要素と同様の特徴を有してもよい。その様な変更または改良を加えた形態も本発明の技術的範囲に含まれ得ることが、請求の範囲の記載から明らかである。
【０２５４】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【０２５５】
１９、２０、２１  管理システム、４０  通信ネットワーク、６０  ユーザ、１００、１５０、１６０、１７０  車両、１０１  バッテリ収容部、１０２、１６２  通信部、１０３  充放電量計測部、１０５  ＳＯＣ算出部、１０７  バッテリ温度計測部、１０９  回生電力充電部、１１１  位置情報取得部、１１２  日時計測部、１１３  加速度計測部、１１５  走行時間計測部、１１７  走行距離計測部、１１９  運転性向判断部、１２０  格納部、１２１  条件格納部、１２２  ユーザ関連情報格納部、１２３  車両ＩＤ格納部、１２４  認証キー格納部、１２５  書込部、１２６  車両関連情報格納部、１２７  照合部、１２９  消去部、１３１  表示部、２００、２５０、８００  バッテリ、２１０、８１０  格納部、２１１  使用履歴情報格納部、２１３、８１３  運転履歴格納部、２１５、８１５  使用状況履歴格納部、２１７、８１７  バッテリ情報格納部、２１８  認証キー格納部、２１９、８１９  関連情報格納部、２２１、８２１  ユーザ関連情報格納部、２２３、８２３  車両関連情報格納部、２３０  通信部、２４０、８４０  劣化表示部、８２５  条件格納部、８５０  計測部、８６１  劣化度算出部、８６５  価格判断部、３００  ステーション、３０１  バッテリ収容部、３０３  読み書き部、３０５  充放電部、３０７  表示部、３０９  入力部、４００、４５０、４６０、４７０、６００、９００  管理装置、４０１、６０１、９０１  読出部、４０３、４６３、４７３、６０３、９０３  通信部、４０５、９０５  提示部、４０７、６０７、９０７  貸出処理部、４０９、６０９、９０９  充放電指示部、４１１  劣化度算出部、４１２、９１２  場所出力部、４１３  表示判断部、４１４、９１４  優良返却報奨部、４１５  価格判断部、４１６、９１６  優良使用報奨部、４１７、６１７、９１７  書込部、４１９、６１９、９１９  管理部、４２０、６２０、９２０  格納部、４２１、９２１  特定情報格納部、４２３、６２３、９２３  充放電パターン格納部、４２５、９２５  条件格納部、４２７、９２７  履歴格納部、４２９、６２９、９２９  ＩＤリスト格納部、４３０  認証キー格納部、４３１、６３１、９３１  関連情報格納部、４３３、６３３、９３３  住所距離格納部、４３５、６３５、９３５  エリア情報格納部、４３７、９３７  報奨情報格納部、４４１  照合部、４４３  生成部、４４５、４６５  消去部、５００、７００  サーバ、５０１、７０１  通信部、５０９、７０９  管理部、５１０、７１０  格納部、５１７、７１７  関連情報格納部、７０５  提示部、７１１  劣化度算出部、７１２  場所出力部、７１３  表示判断部、７１４  優良返却報奨部、７１５  価格判断部、７１６  優良使用報奨部、７２１  特定情報格納部、７２５  条件格納部、７２７  履歴格納部、７３７  報奨情報格納部、８１２  累積使用履歴情報格納部、１２００  コンピュータ、１２０１  ＤＶＤ−ＲＯＭ、１２１０  ホストコントローラ、１２１２  ＣＰＵ、１２１４  ＲＡＭ、１２１６  グラフィックコントローラ、１２１８  ディスプレイデバイス、１２２０  入出力コントローラ、１２２２  通信インターフェース、１２２４  ハードディスクドライブ、１２２６  ＤＶＤ−ＲＯＭドライブ、１２３０  ＲＯＭ、１２４０  入出力チップ���１２４２  キーボード
【図１】
0006903372.tif 000002
【図２】
0006903372.tif 000003
【図３】
0006903372.tif 000004
【図４】
0006903372.tif 000005
【図５】
0006903372.tif 000006
【図６】
0006903372.tif 000007
【図７】
0006903372.tif 000008
【図８】
0006903372.tif 000009
【図９】
0006903372.tif 000010
【図１０】
0006903372.tif 000011
【図１１】
0006903372.tif 000012
【図１２】
0006903372.tif 000013
【図１３】
0006903372.tif 000014
【図１４】
0006903372.tif 000015
【図１５】
0006903372.tif 000016
【図１６】
0006903372.tif 000017
【図１７】
0006903372.tif 000018
【図１８】
0006903372.tif 000019
【図１９】
0006903372.tif 000020
【図２０】
0006903372.tif 000021
【図２１】
0006903372.tif 000022
【図２２】
0006903372.tif 000023
【図２３】
0006903372.tif 000024
【図２４】
0006903372.tif 000025
【図２５】
0006903372.tif 000026
【図２６】
0006903372.tif 000027
【図２７】
0006903372.tif 000028
【図２８】
0006903372.tif 000029
【図２９】
0006903372.tif 000030
【図３０】
0006903372.tif 000031
【図３１】
0006903372.tif 000032
【図３２】
0006903372.tif 000033